(57)【要約】  本発明は、機械工学および構造、特に機械構造、例えば自動車工学などの分野に関する。本発明は第１の物体（１）を第２の物体（２）に接合する方法に関し、方法は、複数のプロファイル本体（３）を提供するステップであり、各プロファイル本体（３）は、第１のプロファイル本体部分（３．１）を備える、複数のプロファイル本体（３）を提供するステップと、第１の物体（１）を提供するステップであり、第１の物体（１）が熱可塑性材料を含む、第１の物体（１）を提供するステップと、第２の物体（２）を提供するステップであり、プロファイル本体（３）は第２の物体（２）から分離しており、取り付け可能であるか、または、第２の物体（２）はプロファイル本体（３）を含む、第２の物体（２）を提供するステップと、各第１のプロファイル本体部分（３．１）が第１の物体（１）の熱可塑性材料内にあるように、第１の物体（１）にプロファイル本体（３）を埋め込むステップとを含む。第１の物体（１）へのプロファイル本体（３）の埋め込みは、第１の物体（１）および第２の物体（２）が互いに押圧されている間に、第１の物体（１）および／または第２の物体に衝突する機械的エネルギーによって引き起こされる。本発明はさらに、第１の物体（１）を第２の物体（２）に接合するためのプロファイル本体（３）に関する。
2020504035.tif 000002
【特許請求の範囲】
【請求項１】
第１の物体（１）を第２の物体（２）に接合する方法であって、
複数のプロファイル本体（３）を提供するステップであり、各プロファイル本体（３）は、第１のプロファイル本体部分（３．１）を備える、複数のプロファイル本体（３）を提供するステップと、
前記第１の物体（１）を提供するステップであり、前記第１の物体（１）が熱可塑性材料を含む、前記第１の物体（１）を提供するステップと、
前記第２の物体（２）を提供するステップであり、前記プロファイル本体（３）は前記第２の物体（２）から分離しており、取り付け可能であるか、または、前記第２の物体（２）は前記プロファイル本体（３）を含む、前記第２の物体（２）を提供するステップと、
各第１のプロファイル本体部分（３．１）が前記第１の物体（１）の前記熱可塑性材料内にあるように、前記第１の物体（１）に前記プロファイル本体（３）を埋め込むステップと
を含み、
前記第１の物体（１）への前記プロファイル本体（３）の埋め込みは、前記第１の物体（１）および前記第２の物体（２）が互いに押圧されている間に、前記第１の物体（１）および／または前記第２の物体（２）に衝突する機械的エネルギーによって引き起こされる、方法。
【請求項２】
前記第１の物体（１）に前記プロファイル本体（３）を埋め込む前記ステップにおいて、前記プロファイル本体（３）は前記第１の物体（１）に同時に埋め込まれる、請求項１に記載の方法。
【請求項３】
前記第１の物体および前記第２の物体が各々、表面部分を有し、
前記第１の物体（１）に前記プロファイル本体（３）を埋め込む前記ステップは、前記第１の物体表面部分（３０）および前記第２の物体表面部分（３１）が互いに対向するまで行われる、請求項１または２に記載の方法。
【請求項４】
前記第１の物体（１）に埋め込まれたときに前記プロファイル本体（３）が前記第１の物体（１）内に延伸する第１の深さが前記第１の物体（１）の厚さよりも小さく、前記第２の物体（２）に取り付けられたときに前記プロファイル本体（３）が前記第２の物体（２）内に延伸する第２の深さが前記第２の物体（２）の厚さよりも小さくなることのうちの少なくとも一方が達成される、先行する請求項のいずれか１項に記載の方法。
【請求項５】
前記プロファイル本体（３）のうちの少なくとも１つは、前記第２の物体（２）に対する前記第１の物体（１）の移動によって生じる張力に応じて弾性的に変形することができるように構成されている、先行する請求項のいずれか１項に記載の方法。
【請求項６】
前記第１の物体（１）および前記第２の物体（２）のうちの少なくとも１つが、内部応力を低減するための応力解放構造（６．１〜６．３）を備える、先行する請求項のいずれか１項に記載の方法。
【請求項７】
前記プロファイル本体（３）が、ポジティブフィット接続を形成するように適合された構造を含み、前記第１の物体（１）に前記プロファイル本体（３）を埋め込む前記ステップが、前記第１の物体（１）の前記熱可塑性材料内にポジティブフィット接続を形成するように整えられた構造を埋め込むことを含む、先行する請求項のいずれか１項に記載の方法。
【請求項８】
前記ポジティブフィット接続を形成するように適合された構造が、アンダーカット（４．１）、ねじれ（１７）、および穴（１５）のうちの少なくとも１つを含む、請求項７に記載の方法。
【請求項９】
前記プロファイル本体（３）が前記第２の物体（２）から分離されており、前記第２の物体（２）が熱可塑性材料を含み、
第２のプロファイル本体部分（３．２）が前記第２の物体（２）の前記熱可塑性材料内にあるように、前記第２の物体（２）に前記プロファイル本体（３）を埋め込むさらなるステップを含む方法によって、前記プロファイル本体（３）が前記第２の物体（２）に取り付けられる、先行する請求項のいずれか１項に記載の方法。
【請求項１０】
前記第１の物体および前記第２の物体に埋め込まれるために、前記プロファイル本体（３）は、前記第１の物体および前記第２の物体の表面部分の間で前記第１の物体および前記第２の物体に対して位置決めされ、
前記第１の物体（１）に前記プロファイル本体（３）を埋め込む前記ステップおよび前記第２の物体（２）に前記プロファイル本体（３）を埋め込む前記ステップは、押圧力および機械的振動エネルギーを前記第１の物体および前記第２の物体の少なくとも一方に結合することを含み、
前記押圧力によって、前記プロファイル本体（３）が前記第１の物体および前記第２の物体の間にクランプ締めされる、請求項９に記載の方法。
【請求項１１】
前記プロファイル本体（３）が基部要素（３４）を備え、前記第１のプロファイル本体部分（３．１）および前記第２のプロファイル本体部分（３．２）が前記基部要素から突出する、請求項９または１０に記載の方法。
【請求項１２】
前記プロファイル本体（３）の少なくとも１つが近位プロファイル本体ヘッド（１３）および遠位プロファイル本体部分（１２）を含み、
前記第２の物体（２）が近位表面（１１）を有し、
前記方法が、
前記第２の物体（２）の前記近位表面（１１）に対して前記遠位プロファイル本体部分（１２）を位置決めするステップと、
前記プロファイル本体ヘッド（１３）が前記第２の物体（２）の前記近位表面（１１）と同一平面になるまで、前記遠位プロファイル本体部分（１２）を前記第２の物体（２）を通じて前記第１の物体（１）の前記熱可塑性材料に押し込むステップと
を含む、請求項９に記載の方法。
【請求項１３】
提供される前記プロファイル本体（３）が、前記第２の物体（２）を介した可能な接続を除いて、別個のプロファイル本体（３）である、先行する請求項のいずれか１項に記載の方法。
【請求項１４】
前記第２の物体（２）を提供する前記ステップが、前記プロファイル本体（３）を含む前記第２の物体（２）を提供することを含み、
前記プロファイル本体（３）が前記第２の物体（２）と一体である、請求項１から８のいずれか１項に記載の方法。
【請求項１５】
前記第１の物体（１）および前記第２の物体（２）のうちの少なくとも一方が、リザーバ（５）を備えて提供され、
前記第１の物体（１）に前記プロファイル本体（３）を埋め込む前記ステップの間、または、前記第１の物体（１）および前記第２の物体（２）に前記プロファイル本体（３）を埋め込む前記ステップの間に変位される前記熱可塑性材料が、前記リザーバ（５）内に収容される、先行する請求項のいずれか１項に記載の方法。
【請求項１６】
前記第１の物体（１）および前記第２の物体（２）のうちの少なくとも一方が、前記第１の物体（３）に埋め込まれかつ前記第２の物体（２）に取り付けられたプロファイル本体（３）の一部が、前記第１の物体および前記第２の物体の材料と接触することなく、かつ、前記第１の物体および前記第２の物体の材料との接触に至ることなく、変形することができるように構成されている少なくとも１つの補償領域（１０）を備える、先行する請求項のいずれか１項に記載の方法。
【請求項１７】
少なくとも１つのプロファイル本体（３）が少なくとも２つの第１プロファイル本体部分（３．１）を含み、
前記第１の物体（１）に前記プロファイル本体（３）を埋め込むステップが、前記第１の物体（１）の前記熱可塑性材料に前記少なくとも２つの第１のプロファイル本体部分（３．１）を埋め込むことを含む、先行する請求項のいずれか１項に記載の方法。
【請求項１８】
前記プロファイル本体（３）が前記第２の物体（２）から分離されており、
前記プロファイル本体（３）が少なくとも１つの第２のプロファイル本体部分（３．２）を含み、
前記第２の物体（２）が熱可塑性材料を含み、
前記第２の物体（２）の前記熱可塑性材料に前記少なくとも１つの第２のプロファイル本体部分（３．２）を埋め込むステップを含む前記方法によって、前記プロファイル本体（３）が前記第２の物体（２）に取り付けられる、請求項１７に記載の方法。
【請求項１９】
少なくとも前記少なくとも１つのプロファイル本体（３）が基部要素（３４）を備え、前記少なくとも２つのプロファイル本体部分（３．１）および前記少なくとも１つの第２のプロファイル本体部分（３．２）が前記基部要素（３４）から突出する、請求項１８に記載の方法。
【請求項２０】
接着剤（４０）を提供するステップを含む、先行する請求項のいずれか１項に記載の方法。
【請求項２１】
前記方法の間に接着剤間隙（４１）が生成される、請求項２０に記載の方法。
【請求項２２】
前記方法は、前記第１の物体と前記第２の物体との間に密封接合を提供するステップを含み、
前記密封接合を証明するステップが、前記第１の物体または前記第２の物体にエラストマー部分（５１）を提供すること、または、シール要素（５２）を提供することを含む、先行する請求項のいずれか１項に記載の方法。
【請求項２３】
前記プロファイル本体（３）が、局所的な接合位置に対して設計されている、先行する請求項のいずれか１項に記載の方法。
【請求項２４】
前記プロファイル本体（３）が、埋め込み方向に対して垂直な断面において、互いに向かって屈曲される少なくとも２つの端部を含む閉ループまたは開ループを形成する、請求項２３に記載の方法。
【請求項２５】
第１の物体（１）を第２の物体（２）に接合するためのプロファイル本体（３）であって、前記プロファイル本体（３）は、軸（１９）と、ポジティブフィット接続を形成するように適合されている構造および第１の開口（１６．１）を有する第１のプロファイル本体部分（３．１）とを備え、
前記プロファイル本体（３）は、前記軸（１９）に対して垂直な方向から作用する力に応じて弾性的に変形するように整えられている、プロファイル本体（３）。
【請求項２６】
請求項１から２４のいずれか１項に記載の方法によって第１の物体（１）を第２の物体（２）に接合するためのプロファイル本体（３）であって、前記プロファイル本体（３）は、第１の開口１６．１を有する第１のプロファイル本体部分（３．１）と、第２の開口（１６．２）を有する第２のプロファイル本体部分（３．２）とを備え、
前記プロファイル本体（３）は、第１の表面（３５）と第２の表面（３６）とを有する基部要素（３４）を備え、
前記第１のプロファイル本体部分（３．１）は前記第１の表面（３５）から突出し、前記第２のプロファイル本体部分（３．２）は前記第２の表面（３６）から突出し、
前記プロファイル本体（３）は、前記プロファイル本体の埋め込み方向に垂直な断面において、互いに向かって屈曲されている少なくとも２つの端部を含む閉ループまたは開ループを形成する、プロファイル本体（３）。
【請求項２７】
前記基部要素（３４）は、前記第１の物体（１）および前記第２の物体（２）のうちの少なくとも一方における前記プロファイル本体（３）の最大侵入深さを決定するように構成されている支持面（１４）を形成する、請求項２６に記載のプロファイル本体。
【請求項２８】
前記第１のプロファイル本体部分（３．１）および前記第２のプロファイル本体部分（３．２）のうちの少なくとも一方が、ポジティブフィット接続を形成するように適合された構造を備える、請求項２６または２７に記載のプロファイル本体。
【請求項２９】
前記プロファイル本体（３）は、埋め込み深さに応じて増大する、前記第１の物体（１）および前記第２の物体（２）の少なくとも一方への前記プロファイル本体（３）の埋め込みに対する抵抗を生成するように設計される、請求項２６から２８のいずれか１項に記載のプロファイル本体。
【請求項３０】
前記基部要素は、前記プロファイル本体（３）が前記第１の物体（１）と前記第２の物体（２）とを接合するときに接着剤間隙を生じるように設計されている、請求項２６から２９のいずれか１項に記載のプロファイル本体。
【請求項３１】
前記第１のプロファイル本体部分（３．１）と前記第２のプロファイル本体部分（３．２）とが互いからオフセットされている、請求項２６から３０のいずれか１項に記載のプロファイル本体。
【請求項３２】
前記プロファイル本体（３）が少なくとも３つのプロファイル本体部分を含む、請求項２６から３１のいずれか１項に記載のプロファイル本体。
【請求項３３】
前記プロファイル本体（３）が軸（１９）を含み、
前記プロファイル本体（３）が、前記軸（１９）に垂直な方向から作用する力に応じて弾性的に変形するように整えられている、請求項２６から３２のいずれか１項に記載のプロファイル本体。
【発明の詳細な説明】
【技術分野】
【０００１】
本発明は、機械工学および構造、特に機械構造、例えば自動車工学などの分野に関する。
【背景技術】
【０００２】
自動車、航空および他の産業において、新しい製造技術および新しい材料、ならびに効率の向上に対する絶え間ない要求のために、物体を共に接合する方法は依然として課題となっている。例えば、接合されるべき物体の材料は溶接されないかまたは不十分に溶接され、そして現行技術水準の接合技法はしばしば時間がかかる（例えば接着剤を使用するとき）か、または、例えば応力を導入し、もしくは物体を脆弱化することによって、接合されるべき物体の構造安定性に悪影響を及ぼす。
【０００３】
国際公開第２０１５／１１０３１１号パンフレットは、プラスチック材料から形成された繊維強化接合要素を超音波溶接法によって接合する方法を開示している。この方法は、繊維が侵入していない接合位置によって引き起こされる、接合位置の安定性が低いという問題に対処する。国際公開第２０１５／１１０３１１号パンフレットの教示によれば、上記問題は、融着する前に接合面の領域に集約装置および／または挿入要素を配置することによって解決される。
【０００４】
さらに、接合後の要素の視覚的印象は、例えば良好な加工および高品質の指標であるため、ますます重要になっている。しかしながら、確立された接合の信頼性を犠牲にして視覚的印象の改善を実現するべきではない。
【発明の概要】
【発明が解決しようとする課題】
【０００５】
本発明の目的は、物体を共に接合するための、特に第１の物体を第２の物体に接合するための手法を提供することである。
【０００６】
特に、現行技術水準の欠点、例えば材料を所望の方法で溶接することができないこと、取り扱い安定性の悪さ、および応力の発生または物体の構造安定性への悪影響に関する欠点を克服することが目的である。特に、プロファイル本体の物体への侵入深さを低くしながら高い接合安定性を可能にする接合方法および関連するプロファイル本体を提供することが目的である。
【０００７】
接合後に見える表面の視覚的印象が接合プロセスによって影響されないように物体を接合するための手法を提供することがさらなる目的である。
【０００８】
特に、本発明の目的は、誘発される応力が非常に小さいので、２つの物体を接合した後に見える第１の物体または第２の物体の表面が変形されず、かつ、接合された第１の物体および第２の物体の使用中に変形しないように、第１の物体を第２の物体に接合する方法を提供することである。
【課題を解決するための手段】
【０００９】
本発明によれば、第１の物体を第２の物体に接合する方法が提供され、第１の物体および第２の物体は局所的に互いに対してやや平らに置かれるべき当接面部分を有することができ、第２の物体は例えば、複雑な表面形状を有する。このような状況では、従来技術によれば、固定するために接着剤接合を用いる。しかしながら、接着剤接合には一定の制限がある。
【００１０】
本発明は代替的な解決策を提供する。本発明によれば、非液化可能材料の複数のプロファイル本体が、第１の物体と第２の物体との間の接続要素として使用される。プロファイル本体は、特に金属製であってもよく、および／または屈曲可能であってもよい。プロファイル本体は別個の部品とすることができ、特にそれらは第１の物体および第２の物体から分離することができ、または第２の物体がプロファイル本体を含むことができる。プロファイル本体は、第１の物体および／または第２の物体に取り付け可能であり得る。少なくとも第１の物体は熱可塑性材料を含む。この方法は、第１のプロファイル本体部分が第１の物体の熱可塑性材料内にあるように第１の物体にプロファイル本体を埋め込むことを含み、第１の物体へのプロファイル本体の埋め込みは、第１の物体と第２の物体とが互いに押圧されている間に、第１の物体および／または第２の物体に衝突する機械的エネルギーによって引き起こされる。
【００１１】
第１の物体の熱可塑性材料は、物体が互いに押圧されている間に機械的エネルギーを吸収することによって流動性にすることができる。機械的振動エネルギーは、第１の物体および／または第２の物体を通じてプロファイル本体との界面に結合され、さらにプロファイル本体を通じてそれぞれ第２の物体／第１の物体との界面に結合され得る。対応する界面において、外部摩擦によって、および場合によってはまた内部摩擦によって、熱可塑性材料が加熱されて流動可能になり、その結果、加えられた圧力に起因してプロファイル本体が材料内に押し込まれ、それによって埋め込まれることになる。このようなプロファイルを有するプロファイル本体の構造は、エネルギーディレクタとしての役割を果たし得る、すなわち、エネルギー吸収および熱発生は、自動的にそれぞれの界面に集中することになる。
【００１２】
特に、プロファイル本体は、近遠位軸（すなわち、第１の物体および第２の物体が互いに押圧される軸、本明細書では「軸」とも呼ばれる）に対してアンダーカットされるように成形され得る。アンダーカットは、第１の物体の、および、場合によっては、第２の物体の、熱可塑性材料とポジティブフィット接続を形成するように適合された構造によって形成することができる。加えてまたは代替形態として、アンダーカットは、埋め込まれるべきプロファイル本体部分の全体形状によって、例えば埋め込み方向に沿って変化する直径を有するプロファイル本体部分の開口によって形成することができる。
【００１３】
したがって、本発明による方法は以下のステップを含む。
●複数のプロファイル本体を提供するステップ。例えば、２、３、４またはそれ以上のプロファイル本体を提供することができる。各プロファイル本体は、第１のプロファイル本体部分を含む。第１のプロファイル本体部分は、例えば、プロファイル本体の近位端または遠位端を含むことができる。
【００１４】
●第１の物体を提供するステップ。第１の物体は固体状態の熱可塑性材料を含む。例えば、第１の物体は、表面が合金または金属から作製される熱可塑性本体を含むことができる。
【００１５】
●第２の物体を提供するステップ。プロファイル本体は第２の物体から分離しており、取り付け可能であるか、または第２の物体はプロファイル本体を含む。第２の物体から分離しているプロファイル本体の場合、プロファイル本体は第２の物体内に固定されるように整えることができる。
【００１６】
●各第１のプロファイル本体部分が第１の物体の熱可塑性材料内にあるように、第１の物体にプロファイル本体を埋め込むステップ。
【００１７】
さらに、本方法は、プロファイル本体が第２の物体から分離されており、第２の物体に取り付け可能である実施形態において、第２の物体にプロファイル本体を取り付けるステップを含む。例えば、各プロファイル本体は第２のプロファイル本体部分を含むことができ、プロファイル本体は、それらの第２のプロファイル本体部分を介して第２の物体に取り付けられる。
【００１８】
第１のプロファイル本体部分および第２のプロファイル本体部分は、同じ軸に沿って配向する必要はない。むしろ、第１のプロファイル本体部分の長手方向軸（以下では第１の軸とも呼ばれる）は、第２のプロファイル本体部分の長手方向軸（以下では第２の軸とも呼ばれる）に対してオフセットされ得る。
【００１９】
第２の物体は熱可塑性材料を含むことができ、第２のプロファイル本体部分が第２の物体の熱可塑性材料内にあるように、プロファイル本体を第２の物体に埋め込むことによって、プロファイル本体を第２の物体に取り付けることができる。
【００２０】
第２の物体の熱可塑性材料は、第１の物体の熱可塑性材料とは異なり得る。
●第１の物体、および場合によっては第２の物体へのプロファイル本体の埋め込みは、第１の物体および／または第２の物体が互いに対して押圧されている間に第１の物体および／または第２の物体に衝突する機械的エネルギーによって引き起こされる。
【００２１】
押圧するステップは、第１の物体および第２の物体の当接面部分が互いに対向するまで実行されてもよく、プロファイル本体は第１の物体の材料に埋め込まれ、第２の物体に取り付けられる。
【００２２】
本発明の洞察は、本方法が、第１の物体と第２の物体とが全体的にまたはそれらの接合位置において大きく異なる特性を有する材料から作製されている場合であっても、第１の物体を第２の物体に接合することを可能にすることである。特に、それらの物体は、特性が変化し得、結果、溶接および／または接着剤の使用が不可能になるか、または接合の機械的安定性を不十分になる。
【００２３】
本発明のさらなる洞察は、本方法が、例えば、第１の物体および第２の物体の材料の特性が大きく異なる場合に、第１の物体および／または第２の物体への低い侵入深さで、第１の物体を第２の物体に接合することを可能にすることである。接続要素の任意の侵入が物体の安定性に悪影響を及ぼし、その効果は侵入深さに依存するため、これは重要である。
【００２４】
例えば、第１の物体は、ラミネートまたは繊維強化複合材料などの熱可塑性材料を含む複合材料であり得る。しかしながら、第１の物体はまた箔であってもよい。
【００２５】
第２の物体は複合材料であってもよい。例えば、複合材料はラミネート、繊維強化複合材料または中空コアボードであってもよい。
【００２６】
少なくとも１つのプロファイル本体、特に各プロファイル本体は、複数の第１のプロファイル本体部分を含むことができる。言い換えれば、各プロファイル本体は、第１の物体に埋め込まれ、プロファイル本体を第１の物体に接合する複数の位置を含むことができる。
【００２７】
さらに、各プロファイル本体は、１つまたは２つ以上（すなわち複数）の第２のプロファイル本体部分を含むことができる。言い換えれば、各プロファイル本体は、例えば第２のプロファイル本体部分を第２の物体内に埋め込むことによって、第１の物体が第２の物体に付着する複数の位置を含むことができる。
【００２８】
第１のプロファイル本体部分（複数可）および第２のプロファイル本体部分（複数可）（存在する場合）は、第１の物体の安定性、および場合によっては第２の物体の安定性への影響を可能な限り小さくするように設計することができる。特に、第１のプロファイル本体部分（複数可）は、５ｍｍよりも小さい、特に３ｍｍまたは２ｍｍよりも小さい、第１の軸に沿った長さを有することができる。例えば、上記長さは、約０．８ｍｍ、１ｍｍ、１．２ｍｍ、１．４ｍｍ、１．５ｍｍ、１．６ｍｍまたは１．８ｍｍなど、０．１ｍｍ〜２ｍｍの間であり得る。
【００２９】
本発明のさらなる洞察は、第１の物体と第２の物体との間の信頼性のある接合、特に第１の物体および／または第２の物体に加えられる引張力に関する信頼性のある接合であって、上記引張力が、プロファイル本体の軸に沿った相当の力成分を生成する、接合が、第１の軸に沿った０．２ｍｍ〜０．５ｍｍの間の長さによって達成され得ることである。
【００３０】
開口および埋め込み方向に沿って増大する直径を有するキャビティによってアンダーカットを形成するプロファイル本体部分を備え、と、とを含み、その最小直径が開口の直径である実施形態では、引張力に対する抵抗は第１の事例において、キャビティの最小直径、最大直径（例えば、キャビティの底部における直径）、およびキャビティの設計に依存し、これは、キャビティが最小直径から最大直径にどのように変化するかということを意味する。接合の信頼性と設計との間の関係に関する詳細は、国際公開第２０１７／０５５  ５４８号パンフレット、特に図１ｂ、図４６、図４７および対応する説明に記載されている。国際公開第２０１７／０５５  ５４８号パンフレットは参照により本明細書に組み込まれる。
【００３１】
一般に、最小直径の増加は、引張力に対する抵抗の観点から有利である。
長さ（高さ）と最小直径との間の比が１より小さく、特に０．１〜０．５の間であるプロファイル本体部分の設計が、信頼性のある接合の観点から良好な結果をもたらすことが見出された。
【００３２】
剪断力に対する接合の信頼性を高めるために、プロファイル本体部分の長さ（高さ）を増やすことを想定することができる。
【００３３】
しかしながら、０．３〜２ｍｍの間の長さ（高さ）および１〜１０ｍｍの間の最小直径、特に０．５ｍｍ〜１ｍｍの間の長さおよび２ｍｍ〜３ｍｍの間の最小直径を有するプロファイル本体部分で良好な全体的信頼性が観察されている。
【００３４】
各プロファイル本体は、そこから第１のプロファイル本体部分（複数可）および場合によっては第２のプロファイル本体部分（複数可）が突出する基部要素を含むことができる。
【００３５】
特に、後で詳細に説明するように支持面を形成する要素は基部要素である。
基部要素は少なくとも１つの支持面を形成することができる。
【００３６】
プロファイル本体は、基部要素によって形成されていない支持面を含んでもよい。
例えば、基部要素は、プロファイル本体が埋め込まれる第１の物体表面部分およびプロファイル本体が取り付けられる第２の物体表面部分の形状に適合したプレートの形状を有することができる。
【００３７】
プロファイル本体が金属シートから作製されている場合、プロファイル本体部分は金属シートを変形させることによって形成することができる。特に、金属シートの非変形部分が基部要素を形成することができる。例えば、プロファイル本体部分は、金属シートを打ち抜く（スタンピングする）ことによって形成することができる。
【００３８】
実施形態では、基部要素は、平面状または非平面状であってもよく、第１の表面と第２の表面とを有するプレートであり、第１のプロファイル本体部分（複数可）が第１の表面から突出し、第２のプロファイル本体部分（複数可）が第２の表面から突出する。第２の表面は第１の表面の反対側にあり得る。
【００３９】
例えば、第１のプロファイル本体部分（複数可）および第２のプロファイル本体部分（複数可）は、対になった第１の本体部分および第２の本体部分が同じ位置に、ただし基部プレートの対向する両側に配置されるように、基部要素上で対（複数可）を成して配置され得る。代替的に、基部要素の第１の表面上の第１のプロファイル本体部分（複数可）の位置は、基部要素の第２の表面上の第２のプロファイル本体部分（複数可）の位置（複数可）からオフセットされている。第１のプロファイル本体部分および第２のプロファイル本体部分のこの配置はプロファイル本体の製造の観点から有利である。このようなプロファイル本体部分の配置を有するプロファイル本体は、基部要素を打ち抜く（スタンピングする）ことによって製造することができる。
【００４０】
一実施形態では、この方法は接着剤を提供するさらなるステップを含む。
本発明の洞察は、プロファイル本体の埋め込みを含む接合方法が、接着剤によって互いに接合されることを必要とするまたは意図されている第１の物体および第２の物体の材料にとって特に有利であることである。接着接合方法は、接合手順の開始時に安定性が不十分であることが多く、結果、物体をしばらく放置する必要があるか、または接合されるべき物体の相対移動を機械的に阻止するために物体の形状に望ましくない特徴を備える必要がある。
【００４１】
本発明による方法は、接着剤を使用するときに接合される物体を放置する必要がある時間の短縮をもたらすことが分かった。言い換えれば、本発明による方法は、少なくとも取り扱い安定性を確立するための時間の短縮をもたらす。
【００４２】
第１の物体、第２の物体およびプロファイル本体の形状のうちの少なくとも１つは、接着剤のための空間を意味する接着剤間隙が、方法の間に第１の物体表面部分と第２の物体表面部分との間に生じるようなものであり得る。
【００４３】
したがって、接着剤を提供するステップは、接着剤間隙を提供するサブステップを含み得る。
【００４４】
接着剤間隙は、スペーサ要素によって受動的に、および／または方法中の距離制御によって能動的に生成され得る。
【００４５】
例えば、第１の物体は、第１の物体の、第１の物体表面部分と同じ側に配置される第１の物体凹部を含むことができ、および／または第２の物体は、第２の物体の、第２の物体表面部分と同じ側に配置される第２の物体凹部を含むことができる。
【００４６】
代替的または加えて、基部要素は、第１の物体および第２の物体が接合後に当接せず、接着剤間隙によって分離されるような厚さを有することができる。特に、第１の物体および第２の物体は、プロファイル本体に隣接する領域において当接しない。
【００４７】
例えば、基部要素の厚さは５ｍｍより小さく、特に３ｍｍまたは２ｍｍより小さくすることができる。特に、厚さは約１ｍｍ〜１．５ｍｍである。例えば接着剤間隙を必要としない用途では、厚さは１ｍｍ未満、例えば０．３ｍｍまたは０．５ｍｍであり得る。厚さは、基部要素を形成する金属シートの厚さによって与えることができる。
【００４８】
代替的にまたは付加的に、接着剤間隙は、埋め込みステップ中に所定の圧力を加えることによって、ならびに、方法の間に第１の物体と第２の物体との間の間隙を閉じることに対する抵抗が生じるようにプロファイル本体および任意選択的に接着剤を設計することによって形成することができ、間隙が縮小すると、上記抵抗は増加する。任意選択的に、プロファイル本体は、上記抵抗が第１の物体と第２の物体との間に所与の間隙（距離）を置いて段階的に増加するように設計することができる。例えば、プロファイル本体は、後述するように支持面を含むことができる。
【００４９】
様々な実施形態において、第１の物体、第２の物体および／またはプロファイル本体は、０．１ｍｍ〜２ｃｍの間、特に０．２ｍｍ〜０．５ｃｍの間、例えば０．２〜２ｍｍの間の接着剤間隙が確立されるように設計される。
【００５０】
一実施形態では、この方法はシールを確立するステップを含む。
シールを確立するステップは、シールバンドまたはシールリングなどのシール要素を提供すること、およびシール要素を第１の物体、第２の物体およびプロファイル本体に対して位置決めすることを含むことができる。特に、シール要素は、プロファイル本体を埋め込むステップの前に位置決めされる。
【００５１】
シールを確立するステップは、第１の物体の、第１の物体表面部分と同じ側に配置され、そこから突出するエラストマー部分を含む第１の物体を提供すること、または、第２の物体の、第２の物体表面部分と同じ側に配置され、そこから突出するエラストマー部分を含む第２の物体を提供することを含む。
【００５２】
特に、エラストマー部分は、本方法中に第１の物体と第２の物体との間で圧縮されるように配置されている。
【００５３】
シールを確立するステップは、接着剤を提供するステップおよび関連するサブステップに加えてもよい。
【００５４】
シール要素またはエラストマー部分は、接着剤間隙の形成に寄与し得る。
本発明による方法は、処理時間を増加させることなく、および／または接合プロセスを複雑にすることなく、第１の物体と第２の物体との密封接合を確立するために使用できることが分かった。これは、熱可塑性材料を流動性にする機械的エネルギーを加えた直後にプロファイル本体が第２の物体に対する第１の物体の位置を固定するためである。接着剤およびまた溶接に基づく接合方法は、接着剤または溶接部が硬化する前に必要な圧縮力を支持することができない。そのような方法とは対照的に、本発明による方法は、第１の物体および第２の物体を組み立てた直後に上記圧縮力を支持することができる相対的固定を可能にする。
【００５５】
本方法の実施形態は、提供されるプロファイル本体によって区別することができる。上記プロファイル本体は、開示されている任意の特徴が異なり得る。特に、それらのプロファイル本体は、最大侵入深さを決定するためのおよび／または接着剤間隙を生成するための手段において、それらの弾性変形性が異なり得る。
【００５６】
特に、プロファイル本体は、各第１のプロファイル本体部分が、接合中に第２の物体に面する第１の物体の領域と比較して小さい第１の物体の領域に埋め込まれるように設計されている。言い換えれば、プロファイル本体は局所的に形成されるように設計されている。
【００５７】
このようにして設計されたプロファイル本体の例を以下に記載する。特に、例えば、開放環または螺旋のような、互いに向かって屈曲する少なくとも２つの端部を含む閉ループまたは開ループを形成する、埋め込み方向に対して垂直な断面を有する少なくとも１つの第１のプロファイル本体部分を含むプロファイル本体を使用することができる。そのようなプロファイル本体は、プロファイル本体の埋め込みが第１の開口において始まるように構成されている場合に特に有利である。第１の開口は、プロファイル本体によって形成されたキャビティへの開口とすることができる。
【００５８】
多くの実施形態では、第１の開口は、第１の物体、第２の物体およびプロファイル本体の相対配置（特に積み重ね順序）および向きに応じて、プロファイル本体の近位端または遠位端である。
【００５９】
プロファイル本体が、第２の物体に取り付けられるかまたは埋め込まれる少なくとも１つの第２のプロファイル本体部分を含む場合、上記のことは第２のプロファイル本体部分の各々に適用することができる。
【００６０】
第１のプロファイル本体部分を第１の物体の小さい、すなわち局在化された領域に埋め込むこと、および場合によっては、第２のプロファイル本体部分を第２の物体の小さい、すなわち局在化された領域に取り付けるもしくは埋め込むことをもたらすプロファイル本体の設計は、大きい、すなわち、拡大したおよび／または非局在的な領域である第１の物体、および場合によっては第２の物体の領域に埋め込まれているプロファイル本体よりも有利である。「大きい」とはまた、上記領域が、接合中に第２（第１）の物体に面する第１（第２）の物体の表面の相当の領域にわたって延在することを意味する。
【００６１】
局所的な接合位置のさらなる利点は、第１の物体および第２の物体の形状に対して最適化された方法で接合位置を配置することができることである。
【００６２】
別の利点は、特に接合中に、第１の物体、および最終的には第２の物体内に誘起される応力の観点から接合位置を最適化することができることである。さらに、局所的な接合位置によって誘起される全体的な応力は、接合位置を広げることによるものよりも小さい。最後に、後述するような応力解放構造、リザーバ、補償領域および／または弾性変形性などのさらなる応力低減のための手段が、局所的な接合位置との組み合わせにおいてしばしば有利に実現される。
【００６３】
特に、本発明による方法は、プロファイル本体、第１の物体、および第２の物体の間に少なくとも以下の構成を含む。
【００６４】
●最初に提供されるプロファイル本体は、互いに別個のものであり、第２（および第１）の物体とは別個のものである。
【００６５】
●プロファイル本体は第２の物体に含まれ、第２の物体は熱可塑性材料から作製されているかまたはそれを含むことができ、または第２の物体はいかなる熱可塑性材料も含まない。例えば、第２の物体は、合金、金属または複合材料から作製することができる。しかしながら、第２の物体は、表面が合金または金属から作製される熱可塑性本体を含むことができる。
【００６６】
第１の物体および第２の物体の少なくとも一方は、第１の物体および第２の物体の接合後に見える表面、例えばいわゆるＡ面を含むことができる。
【００６７】
本方法の一実施形態では、提供されるプロファイル本体は、第２の物体を介する可能性のある接続を除いて別個のプロファイル本体である。しかしながら、提供されるプロファイル本体は完全に分離していてもよく、すなわち互いに分離していてもよく、第１の物体および第２の物体から分離していてもよい。
【００６８】
特に、最初に提供されるプロファイル本体は、第２の物体以外のさらなる連続的な物体を形成せず、またその一部でもない。
【００６９】
特に、全般的に実施形態において、プロファイル本体は第２の物体とは異なる材料のものであり得る。例えば、プロファイル本体は金属製であってもよく、または、比較的硬質のプラスチック製であってもよく、第２の物体は、少なくとも第１の物体と接触することになる表面部分（本明細書では「第２の物体表面部分」）を有する領域において、熱可塑性材料を含み得る。プロファイル本体が第２の物体とは異なる材料である実施形態では、第２の物体とプロファイル本体とのアセンブリは、プロファイル本体を接続するプロファイル本体材料のいかなる部分も含まない。
【００７０】
実施形態では、第２の物体は、第２の物体表面部分から突出する第１のプロファイル本体部分、特に（第２の物体表面部分に対してほぼ垂直になる）軸に対してアンダーカットされる第１のプロファイル本体部分を有するほぼ平坦な第２の物体表面部分を有する。
【００７１】
本方法の別の実施形態では、第２の物体を提供するステップは、第２の物体に含まれるプロファイル本体を提供することを含む。特に、プロファイル本体は第２の物体と一体的である。
【００７２】
第２の物体がプロファイル本体を含む実施形態では、第２の物体は、例えば第２の物体が型内に配置され、第２のプロファイル本体の残りの部分が第２のプロファイル本体部分の周囲に射出成形される、射出成形によって作製することができる。
【００７３】
しかしながら、第２の物体は、プロファイル本体を含むように第２の物体を提供するステップの前に処理することもできる。
【００７４】
上記で指摘したように、本発明の目的は、誘発される応力が非常に小さいので、２つの物体を接合した後に見える第１の物体または第２の物体の表面が変形されず、かつ、接合された第１の物体および第２の物体の使用中に変形しないように、誘発される応力が非常に小さくなるように、第１の物体を第２の物体に接合する方法を提供することである。
【００７５】
本発明の洞察は、互いに接続されていないか、または接合の始めにのみ第１の物体もしくは第２の物体を介して接続され、接合の後にのみ第１の物体もしくは第２の物体を介して接続される複数のプロファイル本体の使用が、接合は、接合中および接合後に物体内で誘起される応力を著しく減少させることである。接合が非常に局所的にのみ行われるという事実を考えると、これは驚くべき発見である。特に、局所的な接合位置での応力の増大、したがって、例えば近傍の表面への悪影響が予想される。
【００７６】
接合後の第１の物体および／または第２の物体における応力は、例えば温度変化および／または湿度変化などの外部からの影響に起因する。
【００７７】
さらに、上記複数のプロファイル本体の使用は、さらなる応力低減のための道を開く。さらなる応力の低減は、少なくとも以下のうちの１つによって実現することができる。
【００７８】
●プロファイル本体は、第２の物体に対する第１の物体の移動によって生じる張力に応じて弾性的に変形するように構成されている。上記移動は、例えば、第１の物体および第２の物体に対する異なる外部からの影響ならびに／またはそのような影響の効果の結果であり得る。上記効果は、第１の物体を形成する１つまたは複数の材料および第２の物体を形成する１つまたは複数の材料の特性に依存し得る。
【００７９】
特に、プロファイル本体は、互いに対向する第１の物体表面部分および第２の物体表面部分に平行な方向に沿って（すなわち、プロファイル本体の（長手方向）軸に垂直な方向に沿って）弾性的に変形するように構成される。さらに、プロファイル本体は、剛性に、すなわち軸方向に沿って作用する任意の力によって変形しないように成形することができる。言い換えれば、プロファイル本体は、面内変形に対する機械的抵抗が軸方向変形に対する機械的抵抗よりも大幅に（例えば少なくとも一桁）小さくなるように成形することができる。
【００８０】
例えば、プロファイル本体は、軸に垂直な（互いに対向する第１の物体表面部分および第２の物体表面部分に垂直である）断面において互いに開いた形状を有してもよい。軸に垂直な断面における開いた円形状または螺旋状の形状が、そのような開いた形状の例である。
【００８１】
しかしながら、プロファイル本体は、互いに対向する第１の物体表面部分および第２の物体表面部分に垂直な軸に垂直な断面において波の形状を有することもでき、または、上記軸は各プロファイル本体の回転軸であり得る。特に、プロファイル本体は、１２０度または９０度の回転下で対称にすることができる。
【００８２】
プロファイル本体の形状によって与えられるプロファイル本体の弾性変形性に加えて、または代替的に、プロファイル本体は、例えば、互いに対向する第１の物体表面部分および第２の物体表面部分に垂直な軸に沿って延在する開口を備えることによって中空とすることができる。中空プロファイル本体の壁の厚さは、上記張力が加えられたときに壁がプロファイル本体の変形を妨げないようにすることができる。特に、プロファイル本体は金属シートから作製することができる。
【００８３】
●第１の物体および／または第２の物体は応力解放構造を備え、上記応力解放構造は、応力解放構造を備える物体の内部の応力を低減するように整えられている。特に、応力解放構造は、軸に垂直な平面内の異なる拡張を補償するように構成された構造であり得る。例えば、応力解放構造は、それぞれ第２の物体または第１の物体の一部分であり得、その面内寸法は、比較的小さい面内力を加えることによって適合可能である。
【００８４】
例えば、応力解放構造は、物体の他の領域よりも薄い（第１の物体および第２の物体が接合されるときに他方の物体に対向する物体表面部分に垂直な軸に沿って）物体の領域であり得る。物体の他の領域は、プロファイル本体が埋め込まれるかまたは取り付けられる領域を含むことができる。言い換えると、応力解放構造の位置は、プロファイル本体の位置とは異なり得る。
【００８５】
加えてまたは代替形態として、応力解放構造は、応力解放を促進するように成形することができる。例えば、応力解放構造は、物体の、波状または狭くなっている部分であり得る。
【００８６】
●第１の物体および第２の物体のうちの少なくとも１つの中にあるか、または第１の物体および第２の物体のうちの少なくとも１つによって形成されるリザーバ。上記リザーバは、例えば、他方の物体に接合される物体の側面上の凹部またはくぼみによって形成することができる。
【００８７】
リザーバは、第１の物体にプロファイル本体を埋め込むステップの間、または第１の物体および第２の物体にプロファイル本体を埋め込むステップの間に変位する熱可塑性材料がリザーバ内に収容されるように配置される。
【００８８】
特に、リザーバは、プロファイル本体の一部を含むかまたは少なくともそれを囲むように配置される。
【００８９】
ほとんどの実施形態では、リザーバの数はプロファイル本体の数に合わせて適合される。
【００９０】
このようなリザーバは、埋め込み中に変位される熱可塑性材料、特に液化熱可塑性材料が互いに対向する第１の物体表面部分と第２の物体表面部分との間に入らないという効果を有する。したがって、そのような変位から生じる可能性があるプレッシャーマークは生成されない。言い換えると、接合中に第１の物体および第２の物体内に誘起される応力が著しく少ない。
【００９１】
少なくとも１つのリザーバを備える実施形態では、方法は、埋め込み中に変位される熱可塑性材料がリザーバ（複数可）に入ることができるように、各リザーバに対してプロファイル本体を位置決めするさらなるステップを含むことができる。
【００９２】
●第１の物体の少なくとも１つは、第１の物体表面部分に第１の表面開口を含むことができ、第２の物体は、第２の物体表面部分に第２の表面開口を含むことができる。
【００９３】
第１の表面開口もしくは第２の表面開口、または第１の表面開口および第２の表面開口は、プロファイル本体部分（複数可）とは異なるプロファイル本体の部分、特に基部要素を収容するように設計されている。
【００９４】
表面開口（複数可）は、プロファイル本体のプロファイル本体部分（複数可）とは異なる部分が、接合中および接合後に第１の物体および／または第２の物体内に応力を誘起しないという効果を有する。むしろ、第１の物体および第２の物体は、間隙がないように接合することができる。これは、第１の物体および第２の物体を接合した後、第１の物体表面部分が第２の物体表面部分と直接接触することを意味する。したがって、プロファイル本体を埋め込んだ後に第１の物体および／または第２の物体に加えられるいかなる機械的エネルギーおよび圧力も、当接する第１の物体表面部分および第２の物体表面部分にわたって分散される。
【００９５】
リザーバは表面開口の一部とすることができる。
表面開口（複数可）は、凹部の機能を引き継ぐように設計することができる。特に、表面開口は、ある深さを有することができ、または、表面開口は、表面開口（複数可）に収容されるべきプロファイル本体の部分の最大厚さよりも大きい累積深さを有することができ、これは、プロファイル本体の上記部分がプロファイル本体部分とは異なることを意味する。
【００９６】
一実施形態では、リザーバは表面開口と組み合わされる。
●第１の物体および第２の物体の少なくとも一方における補償領域は、第１の物体に埋め込まれかつ第２の物体に取り付けられたプロファイル本体の一部が、第１の物体および第２の物体の材料と接触することなく、かつ、第１の物体および第２の物体の材料との接触に至ることなく、変形することができるように構成される。特に、補償領域は、プロファイル本体の上記部分の周りに開放空間を形成する。
【００９７】
開放空間は、プロファイル本体の自由行程長を規定する。プロファイル本体の変形特性と組み合わせた上記自由行程長は、プロファイル本体の軸に垂直な方向（第１の物体表面部分および第２の物体表面部分に平行）における第２の物体に対する第１の物体の可能な最大可能移動を規定することができる。
【００９８】
例えば、プロファイル本体は、その軸に垂直な方向に、自由行程長の１％、２％、３％または５％だけ弾性的に変形することができるようなものであり得る。
【００９９】
特に、プロファイル本体は、上で指摘したように、プロファイル本体がその軸に沿って剛性、すなわち、弾性的に変形不可能であり、その軸に垂直な方向に弾性的に変形可能であるように、整えることができる。
【０１００】
ほとんどの実施形態では、補償領域の数はプロファイル本体の数に合わせて適合される。
【０１０１】
少なくとも１つの補償領域を含む実施形態では、方法は、プロファイル本体を第１の物体に埋め込んだ後に、または、プロファイル本体を第１の物体に埋め込み、プロファイル本体を第２の物体に取り付けた後に、補償領域がプロファイル本体の一部の周囲に空隙を形成するように、各補償領域に対してプロファイル本体を位置決めするさらなるステップを含み得る。
【０１０２】
このような補償領域は、第１の物体および第２の物体内の応力の生成を最小限にして、互いに対向する第１の物体表面部分および第２の物体表面部分に対して垂直な方向において互いに接合されている間に、第１の物体および第２の物体が互いに沿ってスライドすることができるという効果を有する。したがって、補償領域は、互いに対向する第１の物体表面部分および第２の物体表面部分に平行な軸に沿った第１の物体および第２の物体の変形および移動に適している。
【０１０３】
特に、補償領域は、第１の物体を形成する材料（複数可）と第２の物体を形成する材料（複数可）の弾性および／もしくは熱膨張係数の差、ならびに／または、第１の物体および第２の物体の温度変動に対する異なる暴露から生じる差の補償に適している。
【０１０４】
方法の任意の実施形態は、例えば、複数のプロファイル本体の使用以外に、上に列挙したような応力低減のための少なくとも１つのさらなる方策を含むことができる。
【０１０５】
一実施形態では、複数のプロファイル本体は、プロファイル本体を第１の物体に埋め込むステップの間に第１の物体に同時に埋め込まれる。言い換えると、第１の物体および／または第２の物体に加えられる機械的エネルギーおよび圧力は、すべてのプロファイル本体が、プロファイル本体を埋め込むのに十分な機械的エネルギーおよび圧力にさらされるようなものである。
【０１０６】
第１の物体へのプロファイル本体の同時埋め込みは、例えばプロファイル本体の位置に適合された遠位結合面を備えるソノトロードによって行うことができる。
【０１０７】
本発明はまた、第１の物体を第２の物体に接合するための、特に任意の実施形態において本方法を実行することによって第１の物体を第２の物体に接合するためのプロファイル本体に関する。
【０１０８】
プロファイル本体の実施形態の第１のグループでは、プロファイル本体は、軸と、特に第１の物体に埋め込まれたときにポジティブフィット接続を形成するように適合された構造を有する第１のプロファイル本体部分と、第１の開口とを備える。プロファイル本体は、その軸に垂直な方向から加えられる力に応じて弾性的に変形するようにさらに整えられている。
【０１０９】
特に、プロファイル本体は、その軸に垂直な軸に沿って弾性的に変形するように整えられている。
【０１１０】
プロファイル本体の実施形態の第２のグループでは、プロファイル本体は、軸と、特に第１の物体に埋め込まれたときにポジティブフィット接続を形成するように適合された構造を有する第１のプロファイル本体部分と、第１の開口とを備える。プロファイル本体は、第１の物体内のプロファイル本体、特に第１のプロファイル本体部分の最大侵入深さを決定するように構成された支持面をさらに備える。
【０１１１】
第１のグループの実施形態は支持面を備えることができる。
第２のグループの実施形態は、その軸に垂直な方向から加えられる力に応じて弾性的に変形するように整えることができる。特に、それらの実施形態は、それらの軸に垂直な軸に沿って弾性的に変形するように整えることができる。
【０１１２】
第１のグループまたは第２のグループによるプロファイル本体は、以下の特徴のうちの１つまたは複数を含むことができる。
【０１１３】
●プロファイル本体は、本質的に円筒形状を有することができる。特に、プロファイル本体はスリーブ状であり得る。
【０１１４】
●プロファイル本体は、キャビティ、特に第１の開口からアクセス可能なキャビティを形成することができる。
【０１１５】
●プロファイル本体は、液化可能ではないか、または第１の物体の材料と第２の物体の材料の両方よりも実質的に高い温度でのみ液化可能である金属またはポリマーから作製され得るか、またはそれを含み得る。
【０１１６】
●プロファイル本体は、その軸に垂直な断面（すなわち、埋め込み後の第１の物体表面部分および第２の物体表面部分に平行な平面）において、例えば、円筒形のプロファイル本体、開放環のような互いに向かって屈曲する少なくとも２つの端部を含む開ループ、および、互いに向かって屈曲していない少なくとも２つの端部を含む開ループについて当てはまるような、閉ループの少なくとも１つに対応する形状を有することができる。後者の例は、上記断面における本質的に真っ直ぐな部分（複数可）、波形部分（複数可）、湾曲部分（複数可）および／または屈曲部分（複数可）を含むかまたはそれらからなる形状である。
【０１１７】
●プロファイル本体は、その軸に平行な断面において（すなわち、埋め込み後に第１の物体表面部分および第２の物体表面部分に垂直な平面において）、本質的に真っ直ぐ、階段状、屈曲および湾曲形状のうちの少なくとも１つを有することができる。特に、上記形状は、実施形態においてプロファイル本体の軸に対して垂直に延伸する部分に対応する支持面に追加することができる。
【０１１８】
●プロファイル本体は金属シートから作製することができる。
●プロファイル本体は、開口のパターンを有する折り畳まれた金属シート、または複数の部分的に切り取られ折り畳まれた部分（舌部）を有する金属シートなどであり得る。
【０１１９】
●プロファイル本体は、特に第２の物体に埋め込まれたときにポジティブフィット接続を形成するように適合されたさらなる構造を有する第２のプロファイル本体部分と、第２の開口とを有することができる。
【０１２０】
●プロファイル本体は基部要素を備えることができる。
第１のプロファイル本体部分は、第１のプロファイル本体部分が第１の物体内に埋め込まれたときに基部要素が第１の物体表面部分に対して本質的に平行に延伸するように、基部要素から突出することができる。
【０１２１】
さらに、プロファイル本体は第２のプロファイル本体部分を備えることができる。
第２のプロファイル本体部分は、第１のプロファイル本体部分が第１の物体に埋め込まれたときに第２のプロファイル本体部分を第２の物体に取り付けることができるように、基部要素から突出することができる。
【０１２２】
基部要素を備えるプロファイル本体の一実施形態では、プロファイル本体は、少なくとも３つのプロファイル本体部分、例えば、第１の物体に埋め込まれるように基部要素上に配置されているプロファイル本体部分である複数の第１のプロファイル本体部分、および、第２の物体に埋め込まれるように基部要素上に配置されているプロファイル本体部分である複数の第２のプロファイル本体部分を備えることができる。
【０１２３】
基部要素を備える任意の実施形態において、基部要素は、第１の物体および／または第２の物体に関して上述した任意の実施形態における応力解放構造および／またはリザーバを含むことができる。
【０１２４】
●第１のプロファイル本体部分および第２のプロファイル本体部分の両方を、軸に沿って配置することができる。しかしながら、第１のプロファイル本体部分および第２のプロファイル本体部分は互いに対してある角度を成して配置することができる。特に直角を成すことができる。
【０１２５】
●プロファイル本体の第１の実施形態および／または第２の実施形態によるプロファイル本体の軸は第１の軸とすることができ、第１の軸は第１のプロファイル本体部分の軸である。
【０１２６】
プロファイル本体は、第２のプロファイル本体部分と第２の軸とを備えることができ、第２の軸は第２のプロファイル本体部分の軸である。
【０１２７】
プロファイル本体の実施形態は、第１の軸および第２の軸の相対的な向きによって区別することができる。
【０１２８】
例えば、第１の軸および第２の軸は、基部要素によって画定される平面に対して垂直に延伸し、互いにオフセットしていてもよい。言い換えれば、第１の軸と第２の軸とは一致せず、互いに平行である。特に、第１のプロファイル本体部分および第２のプロファイル本体部分は、上記平面の対向する両側に配置することができる。
【０１２９】
しかしながら、第１の軸が第２の軸に対してある角度を成して延伸する実施形態も考えられ得る。特に、これは、第１のプロファイル本体部分が埋め込まれている第１の物体表面の部分が、第２のプロファイル本体部分が取り付けられている第２の物体表面の部分と平行ではない、または平行であるべきではない場合に当てはまる。
【０１３０】
●ポジティブフィット接続を形成するように適合された第１のプロファイル本体部分および／または第２のプロファイル本体部分の構造は、アンダーカット、穴、およびねじれのうちの少なくとも１つであり得る。
【０１３１】
実施形態では、プロファイル本体は、２よりも小さい、特に１よりも小さいアスペクト比（すなわち、その軸方向の延伸と、その軸に対して半径方向の延伸との間の比）を有する。
【０１３２】
本方法の一実施形態では、提供されるプロファイル本体は、第１の物体に埋め込まれたときにプロファイル本体が第１の物体内に延伸する第１の深さが第１の物体の厚さよりも小さくなること、および、第２の物体に取り付けられたときにプロファイル本体が第２の物体内に延伸する第２の深さが第２の物体の厚さよりも小さくなることのうちの少なくとも一方が達成されるように、寸法決めされる。第１の物体の厚さおよび第２の物体の厚さは、接合後に他方の物体に対向する物体表面に対して垂直な方向に沿った物体の対応する延伸である。
【０１３３】
特に、第１の物体または第２の物体の少なくとも１つの表面は、接合後にいかなるプロファイル本体によっても侵入されない。Ａ面は、この少なくとも１つの面のうちの１つである。
【０１３４】
プロファイル本体は、第１の物体の熱可塑性材料とのポジティブフィット接続を形成するように適合された構造を規定するプロファイルを有する。
【０１３５】
プロファイル本体のプロファイルは、第２の物体の材料とのポジティブフィット接続を形成するように適合されたさらなる構造を含むことができる。
【０１３６】
上記構造を規定するプロファイルを有するプロファイル本体を含む実施形態では、第１の物体にプロファイル本体を埋め込むステップは、第１の物体の熱可塑性材料内にポジティブフィット接続を形成するように整えられた構造を埋め込むことを含む。
【０１３７】
上記さらなる構造を規定するプロファイルを有するプロファイル本体を含む実施形態では、方法は、第２の物体にポジティブフィット接続を形成することによって第２の物体にプロファイル本体を取り付けるステップを含むことができる。上記取り付けるステップは、第２の物体の熱可塑性材料内にポジティブフィット接続を形成するように整えられたさらなる構造を埋め込むことであり得る。しかしながら、上記取り付けるステップはまた、さらなる構造を第２の物体の対応する構造と係合させることによってポジティブフィット接続を生成することを含むことができる。
【０１３８】
ポジティブフィット接続を形成するように適合された構造、および任意選択的に、ポジティブフィット接続を形成するように適合されたさらなる構造は、特に、軸方向に関してアンダーカットされている構造であり得る。その例は、半径方向における少なくとも１つの延伸する突出部またはくぼみ、ねじれ、穴などを含む。
【０１３９】
特に実施形態の両方において、第１のプロファイル本体および第２のプロファイル本体は各々、軸方向に関してアンダーカットされ、それによってプロセス後にプロファイル本体は第１の物体および第２の物体の両方にポジティブフィット接続によって固定される。
【０１４０】
実施形態では、プロファイル本体のアンダーカット画定プロファイルは、適切に折り曲げられ、変形された金属シートの部分によって構築され、または鋳造体（ダイカストなど）などによって構築されてもよい。
【０１４１】
ポジティブフィット接続を形成するように適合された構造、および任意選択的に第１の材料／第２の材料の材料によって相互侵入されたさらなる構造は、再固化後に、第１の物体／第２の物体が（各プロファイル本体が埋め込まれる位置の周囲の表面部分に対して面外の方向に、この面外軸は本明細書では「近遠」軸とも呼ばれる）引き離されないように、結果として得られる構成を固定する。
【０１４２】
実施形態の１つのグループでは、第２の物体も熱可塑性材料を含む。
実施形態のこのグループでは、プロファイル本体は最初、第２の物体から分離されており、第２のプロファイル本体部分が第２の物体の熱可塑性材料内にあるように第２の物体にプロファイル本体を埋め込むさらなるステップを含む方法によって、第２の物体に取り付けられる。
【０１４３】
プロファイル本体は、第１の物体の熱可塑性材料とのポジティブフィット接続を形成するように適合した可能な構造のうちの１つと同一である、第２の物体の熱可塑性材料とのポジティブフィット接続を形成するように適合したさらなる構造を有することができる。
【０１４４】
第２の物体へのプロファイル本体の埋め込みは、第１の物体および／または第２の物体が互いに対して押圧されている間に第１の物体および／または第２の物体に衝突する機械的エネルギーによって引き起こされる。
【０１４５】
第２の物体へのプロファイル本体の埋め込みは、第１の物体にプロファイル本体を埋め込むステップにおいて、すなわち同時に、または別個のステップにおいて例えば順次もしくは交互に行うことができる。
【０１４６】
第２の物体も熱可塑性材料を含む実施形態のサブグループでは、方法は、第１のプロファイル本体部分および第２のプロファイル本体部分が、両方の物体の熱可塑性材料に本質的に同時に埋め込まれるように実行され、すなわちエネルギーの影響によって、両方の物体の熱可塑性材料部分は同じ段階で流動可能になり始める。この目的のために、第１の物体および第２の物体の材料組成ならびに／またはプロファイル本体部分の形状は、そのような方策がなければプロファイル本体と、機械的振動エネルギーが結合される物体の一方との間の界面でエネルギー吸収が高くなり得るという事実を補償するためにわずかに異なってもよい。
【０１４７】
第２の物体も熱可塑性材料を含む実施形態のサブグループでは、第１のプロファイル本体部分および第２のプロファイル本体部分が物体の熱可塑性材料に本質的に同時にまたは順次埋め込まれるように、プロファイル本体、第１の物体および第２の物体の少なくとも１つを設計することができる。
【０１４８】
プロファイル本体部分が入り込む埋め込み時間は、熱可塑性材料の融解特性および熱可塑性材料に結合されるエネルギー密度に依存する。熱可塑性材料の液化を引き起こすエネルギーが第１の物体または第２の物体に加えられる場合、適用されるエネルギーは、埋め込みが、エネルギーが加えられる物体に対してプロファイル本体の遠位に配置されるプロファイル本体部分に関する場合、エネルギーが加えられる物体によってだけでなく、プロファイル本体によっても減衰されることを考慮する必要がある。したがって、第１の物体の熱可塑性材料への第１のプロファイル本体部分の埋め込みおよび第２の物体の熱可塑性材料への第２のプロファイル本体部分の埋め込みは、熱可塑性材料が同一であり、かつ第１のプロファイル本体部分が第２のプロファイルと同一である場合は逐次的である。
【０１４９】
第１のプロファイル本体部分が埋め込まれる時間に対する第２のプロファイル本体部分が埋め込まれる時間は、第１のプロファイル本体部分に第１の領域を設け、第２のプロファイル本体部分に第２の領域を設けることによって調整することができ、第１の領域は、第１のプロファイル本体部分および／またはプロファイル本体が第１の領域のみを介して第１の物体の熱可塑性材料と接触するように設計されており、第２の領域は、第２のプロファイル本体部分および／またはプロファイル本体が、第２の領域のみを介して第２の物体の熱可塑性材料と接触するように設計されており、第１の領域は第２の領域よりも小さいかまたは大きい。
【０１５０】
言い換えれば、第１のプロファイル本体部分は第１の領域を含むことができ、第２のプロファイル本体部分は第２の領域を含むことができ、第１の領域は第２の領域とサイズが異なる。
【０１５１】
一実施形態では、エネルギーが加えられる物体に対してプロファイル本体の遠位に配置されるプロファイル本体部分は、遠位プロファイル本体部分が当該領域のみを介して遠位物体の熱可塑性材料と接触するように設計された領域を含むことができ、上記領域は、近位に配置されたプロファイル本体部分の対応する領域よりも小さい。これによって、近位遠位プロファイル本体部分の埋め込みと同時に、またはさらには遠位プロファイル本体部分の埋め込みの前でも、遠位プロファイル本体部分が埋め込まれるようにすることができる。
【０１５２】
代替的にまたは加えて、第１のプロファイル本体部分が埋め込まれる時間に対する第２のプロファイル本体部分が埋め込まれる時間は、融解特性が第２の物体の熱可塑性材料とは異なる第１の物体の熱可塑性材料によって調整することができる。
【０１５３】
大きさが異なる領域および／またはそれらの融解特性が異なる熱可塑性材料の代わりに、またはそれに加えて、プロファイル本体、第１の物体および第２の物体のうちの少なくとも１つはエネルギーディレクタを含むことができ、これは、エネルギーディレクタ内および／またはエネルギーディレクタと接触する材料内に高いエネルギー密度を生じさせることによって液化が始まる点を規定する形状が変化することを意味する。
【０１５４】
サイズが異なる領域、それらの融解特性が異なる熱可塑性材料、およびエネルギーディレクタのうちの少なくとも１つの代わりにまたはそれに加えて、プロファイル本体は、プロファイル本体を埋め込むステップの間、ならびに／または、振動（特に超音波）エネルギーおよび／もしくは圧力などの機械的エネルギーにさらされたときの、その伝達特性、減衰特性、結合特性、および、埋め込みに対する抵抗の少なくとも１つを変化させることが可能であり得る。
【０１５５】
それらの伝達特性および／または減衰特性を変化させるプロファイル本体は、所定の特性の機械的エネルギーおよび／または所定の値を超える圧力にさらされると崩壊する領域を含み得る。
【０１５６】
プロファイル本体を埋め込むステップの間にその結合特性を変化させることができるプロファイル本体の例は、埋め込み中にエネルギーが加えられる物体と接触する結合面を含む。
【０１５７】
特に、結合面はいかなる液化も引き起こさないが、エネルギーがプロファイル本体に加えられる物体からのエネルギーの結合を増大させる。支持面および基部要素はそのような面の例である。提供されるプロファイル本体は結合面を含むことができる。
【０１５８】
プロファイル本体を埋め込むステップの間に埋め込みに対する抵抗を変化させることができるプロファイル本体の例は、埋め込み中にエネルギーが加えられる物体または埋め込み中にエネルギーが加えられない物体と接触する抵抗面を含む。
【０１５９】
特に、抵抗面は、プロファイル本体と物体との間の界面におけるエネルギー密度または圧力分布を変化させる。この変化は、抵抗面と接触している熱可塑性材料の軟化を引き起こす可能性がある。抵抗面と接触する熱可塑性面は、それにもかかわらず、結合特性の変化、特にプロファイル本体に結合されるエネルギーの増加が可能であるようにすることができる。
【０１６０】
「サイズが異なる領域」、「エネルギーディレクタ」、「異なる熱可塑性材料」、「伝達特性の変化」、「減衰特性の変化」、「結合特性の変化」、および／または「埋め込みに対する抵抗の変化」という特徴のうちの少なくとも２つの効果は、累積的に使用することができる。しかしながら、１つまたは複数の特徴はまた、その他の特徴のうちの１つまたは複数によって引き起こされる反対の効果を補償するために使用され得る。例えば、領域サイズのより顕著な差を使用して、例えば、用途によって与えられる熱可塑性材料の必須の配置を補償することができ、その逆も可能である。
【０１６１】
加えてまたは代替的に、プロファイル本体は、他方の物体への埋め込みの減少を犠牲にして、ある物体への埋め込みの増加を防ぐように設計することができる。例えば、プロファイル本体は、第１の物体表面および第２の物体表面と平行に延在し、第１の物体表面または第２の物体表面が支持面に接触すると、プロファイル本体の埋め込みに対して追加の抵抗を発生させる支持面を備えることができる。
【０１６２】
第１の物体および第２の物体の両方が熱可塑性材料を含む実施形態のさらなるサブグループでは、方法は、第１の物体を第２の物体に対して位置決めする前に、プロファイル本体を第１の物体の材料に埋め込むことを含む。このために、例えば、機械的エネルギー、特に振動エネルギーが、第１の物体内にプロファイル本体を埋め込むためにプロファイル本体に直接衝突させられてもよい。これは、各第２のプロファイル本体部分が第１の物体から突出する、すなわち第１の物体に埋め込まれないようにして行われる。その後、第１の物体の熱可塑性材料が再固化した後、第２の物体がプロファイル本体と接触させられ、機械的振動エネルギーが例えば第２の物体に衝突している間に、第１の物体に向かって押圧される。
【０１６３】
第１の物体と第２の物体の両方が熱可塑性材料を含む実施形態のまたさらなるサブグループでは、方法は第１の物体と第２の物体との間に溶接を引き起こすことを含むことができる。特に、第１の物体／第２物体に衝突する機械的エネルギーは、熱可塑性材料部分を、例えば、プロファイル本体に隣接する、またはその貫通開口内の、第１の物体と第２の物体との間の界面においても流動可能にするのに十分であり得る。溶接の場合、第１の物体および／または第２の物体は、プロファイル本体を埋め込むために物体が互いに押圧されるときに他方の物体と接触するエネルギー誘導構造を含むことができる。
【０１６４】
第２の物体も熱可塑性材料を含む実施形態では、別個のプロファイル本体を、最初は分離している第１の物体と第２の物体との間に位置決めすることができる。次に、第２の物体への埋め込みが、第１の物体への埋め込みと同じステップにおいて、すなわち機械的振動および押圧力を加えることによって、または押圧力および機械的振動を加えることを含むさらなるステップにおいて行われ得る。さらなるステップは、プロファイル本体を第１の物体に埋め込むステップの前または後であってもよい。さらなるステップにおいて加えられる押圧力および／または機械的振動は、第１の物体にプロファイル本体を埋め込むステップにおいて加えられる押圧力および／または機械的振動とは異なり得る。特に、第１の物体を埋め込むステップにおいて加えられる押圧力および機械的振動は、第１の物体の熱可塑性材料および／または第１のプロファイル本体部分の形状に適合させることができる。加えてまたは代替的に、さらなるステップにおいて加えられる押圧力および機械的振動は、第２の物体の熱可塑性材料および／または第２のプロファイル本体部分の形状に適合させることができる。
【０１６５】
したがって、第２の物体も熱可塑性材料を含む実施形態では、第１の物体を第２の物体に接合する方法であって、第１の物体および第２の物体が各々固体状態の熱可塑性材料を含み、各々表面部分を有する、方法は、
●第１の物体および第２の物体を提供し、さらに複数のプロファイル本体を提供することと、
●第１の物体の表面部分と第２の物体の表面部分との間に第１の物体および第２の物体に対してプロファイル本体を配置することであって、プロファイル本体は、第１の物体に向かって方向付けられる第１のプロファイル本体部分と第２の物体に向かって方向付けられる第２のプロファイル本体部分とを含む、配置することと、
●第１の物体および第２の物体の少なくとも一方に押圧力および機械的振動エネルギーを結合することであって、押圧力は、第１の物体および第２の物体の熱可塑性材料の流動部分が流動可能になるまで、各第１プロファイル本体部分が第１の物体の熱可塑性材料内にあるようにプロファイル本体が第１の物体に埋め込まれるまで、かつ、各第２プロファイル本体部分が第２の物体の熱可塑性材料内にあるようにプロファイル本体が第２の物体に埋め込まれるまで、プロファイル本体が第１の物体と第２の物体との間にクランプ締めされるようにする、結合することと、
●熱可塑性材料を再固化させることとを含むことができる。
【０１６６】
例えば（これはすべての実施形態に対する選択肢である）、第１の物体／第２の物体に押圧力および機械的振動エネルギーを結合するステップは、支持体（支持体は、ソノトロードが作用する側方位置において第２の物体に対して直接保持され得る、または、第２の物体を保持するより複雑な物体のフレームワークによって構築され得る。そのような複雑なフレームワークは、車体など、組み立てられるアイテムの本体であり得る）によって他方の物体が直接的にまたは間接的に保持され得る間にそれぞれの物体に押圧されるソノトロードによって行うことができる。任意選択的に、例えばソノトロードがそれぞれの物体に印象を生じさせることを回避するために、保護パッドをソノトロードとそれぞれの物体との間に配置することができる。
【０１６７】
ソノトロードの遠位面、特にそれぞれの物体または保護パッドと接触する遠位面は、上記それぞれの物体および／またはプロファイル本体の位置に適合した形状を含むことができる。例えば、近位面は、接合領域から突出するそれぞれの物体の部分のための開口を含むリング状であり得る。
【０１６８】
第２の物体も熱可塑性材料を含む実施形態のサブグループでは、少なくとも１つのプロファイル本体が近位プロファイル本体ヘッドおよび遠位プロファイル本体部分を含む。
【０１６９】
このサブグループの実施形態では、方法は以下のステップを含む。
●遠位プロファイル本体部分を第２の物体の近位表面に対して位置決めし、特に遠位プロファイル本体部分を、プロファイル本体が第１の物体および第２の物体に埋め込まれるべき位置において第２の物体の近位表面と接触させるステップ。
【０１７０】
●プロファイル本体ヘッドが第２の物体の近位表面と同一平面になるまで、遠位プロファイル本体部分を、第２の物体を通して第１の物体の熱可塑性材料に押し込むステップ。
【０１７１】
本発明による手法の適用は、例えば、自動車もしくは航空産業、または軽量材料に焦点を当てている他の産業においてである。第１の物体を第２の物体に接合する実施形態では、第２の物体は、例えば自動車の車体の一部であり得、第１の物体は自動車の車体に接合される特定の自動車部品であり得る。
【０１７２】
例えば、第１の物体は、自動車の外面を含む自動車の車体の一部であり得、第２の物体は、上記外面に近い、外面の裏側から接合されなければならないセンサ、例えばパーキングセンサを含む。
【０１７３】
流動部分の液化は、振動する物体とそれぞれの他方の物体の表面との間の摩擦によって主に引き起こされ得、その摩擦は少なくとも、表面的に熱可塑性材料を有する物体を加熱する。
【０１７４】
本明細書において、表現「例えば機械的振動によって流動化させることが可能な熱可塑性材料」または略して「液化可能熱可塑性材料」または「液化可能材料」または「熱可塑性物質」は、少なくとも１つの熱可塑性成分を含む材料を記述するために用いられる。この材料は、加熱されたとき、特に摩擦によって加熱されたとき、すなわち、互いに接触している１対の表面（接触面）の一方に配置され、互いに対して振動的に動かされるときに液体（流動可能）になり、振動の周波数は前述した特性を有する。状況によっては、例えば、第１の物体自体がかなりの負荷を担持しなければならない場合、材料が０．５ＧＰａを超える弾性係数を有することが有利であり得る。他の実施形態では、第１の物体の熱可塑性材料の振動伝達特性がプロセスにおいて作用しないため、弾性係数はこの値より低くてもよい。特に、プロファイル本体は近位遠位方向に比較的小さい延伸を有することができ、したがって方法は、比較的薄い第１の物体または第２の物体を第２の物体または第１の物体に固定する（両方の物体が薄い可能性を含む）のにも適しているため、本発明の手法は、低い弾性率を有するおよび／またはエラストマー特性を有する熱可塑性材料など、振動伝導率が低い熱可塑性材料にも有効であり得る。プロファイル本体の形状が、それぞれの物体との接触が本質的に線状であることを確実にし得るため、これは特に当てはまる。これは高いエネルギー集中効果を有し、熱可塑性材料が強い減衰特性を有する場合でも局所的な液化を可能にする。
【０１７５】
熱可塑性材料は自動車および航空業界ではよく知られている。本発明による方法の目的のために、特にこれらの産業における適用のために知られている熱可塑性材料を使用することができる。
【０１７６】
本発明による方法に適した熱可塑性材料は、室温（または方法が実行される温度）において固体である。材料は好ましくは、例えば融解によって、臨界温度範囲を超える温度で固体から液体にまたは流動可能に変換し、例えば結晶化によって再び臨界温度範囲未満に冷却すると固体材料に再変換するポリマー相（特にＣ、Ｐ、ＳまたはＳｉ鎖系）を含み、それによって固相の粘度は液相の粘度よりも数桁高い（少なくとも３桁）。熱可塑性材料は一般に、共有結合的に架橋されていないか、または融解温度範囲以上に加熱されると架橋接合が可逆的に開くように架橋されているポリマー成分を含む。ポリマー材料は充填剤、例えば熱可塑性を有しないか、または基本ポリマーの融解温度範囲よりも相当に高い融解温度範囲を含む熱可塑性特性を有する材料の繊維または粒子をさらに含むことができる。
【０１７７】
本明細書では、一般に「非液化可能」材料は、プロセス中に到達する温度、したがって特に第１の物体の熱可塑性材料が液化する温度では液化しない材料である。これは、非液化可能材料が、プロセス中に到達しない温度、一般的にはプロセス中に液化する１つまたは複数の熱可塑性材料の液化温度よりはるかに高い温度（例えば少なくとも８０℃）において液化することが可能であるという可能性を排除しない。液化温度は結晶性ポリマーの融解温度である。非晶質熱可塑性物質の場合、液化温度（「本明細書では融解温度」とも呼ばれる）は、熱可塑性物質が十分に流動可能になる、ガラス転移温度より高い温度であり、「流動温度」と呼ばれることがあり（押し出しが可能である最低温度として定義されることもある）、例えば、熱可塑性材料の、粘度が１０４Ｐａ＊ｓ未満（実施形態において、特に繊維強化剤を実質的に含まないポリマーでは１０３Ｐａ＊ｓ未満））に低下する温度である。
【０１７８】
例えば、非液化可能材料は、アルミニウムもしくは鋼鉄のような金属、または、硬質プラスチック、例えば、液化可能部分の融解温度／ガラス転移温度よりも相当に高い融解温度（および／またはガラス転移温度）、例えば少なくとも５０℃または８０℃高い融解温度および／またはガラス転移温度を有する強化もしくは非強化熱硬化性ポリマーまたは強化もしくは非強化熱可塑性物質であり得る。
【０１７９】
熱可塑性材料の特定の実施形態は以下の通りである。ポリエーテルケトン（ＰＥＥＫ）、ポリブチレンテレフタレート（ＰＢＴ）もしくはポリエチレンテレフタレート（ＰＥＴ）などのポリエステル、ポリエーテルイミド、ポリアミド、例えばポリアミド１２、ポリアミド１１、ポリアミド６、もしくはポリアミド６６、ポリメチルメタクリレート（ＰＭＭＡ）、ポリオキシメチレン、もしくはポリカーボネートウレタン、ポリカーボネートもしくはポリエステルカーボネート、もしくはまたアクリロニトリルブタジエンスチレン（ＡＢＳ）、アクリルエステル−スチロール−アクリルニトリル（ＡＳＡ）、スチレン−アクリロニトリル、ポリ塩化ビニル（ＰＶＣ）、ポリエチレン、ポリプロピレン、およびポリスチレン、またはこれらのコポリマーもしくは混合物。
【０１８０】
第１の物体および第２の物体の両方が熱可塑性材料を含み、溶接が所望されない実施形態では、材料対は、第２の物体材料の融解温度が、例えば少なくとも５０°だけ高いなど、第１の物体材料の融解温度より実質的に高いように選択される。適切な材料対は、例えば、第１の物体のためのポリカーボネートまたはＰＢＴおよび第２の物体のためのＰＥＥＫである。
【０１８１】
熱可塑性ポリマーに加えて、熱可塑性材料はまた、例えばガラス繊維および／または炭素繊維などの強化繊維など、適切な充填剤を含んでもよい。繊維は短繊維であってもよい。長繊維または連続繊維は、特にプロセス中に液化しない第１の物体および／または第２の物体の部分に使用することができる。
【０１８２】
繊維材料（存在する場合）は、繊維強化のために知られている任意の材料、特にカーボン、ガラス、ケブラー、セラミック、例えばムライト、炭化ケイ素または窒化ケイ素、高強度ポリエチレン（Ｄｙｎｅｅｍａ）などであってもよい。
【０１８３】
繊維の形状を有しない他の充填剤、例えば粉末粒子もまた可能である。
本発明による方法に適した機械的振動または発振は、好ましくは２〜２００ｋＨｚの間の周波数（さらにより好ましくは１０〜１００ｋＨｚまたは２０〜４０ｋＨｚの間の周波数を有する超音波振動）および活性面１平方ミリメートルあたり０．２〜２０  Ｗの振動エネルギーを有する。振動ツール（ソノトロード）は、例えば、その接触面が主に、ツール軸の方向に（長手方向の振動）、１〜１００μｍの間、好ましくは約３０〜６０μｍの間の振幅で振動するように設計されている。そのような好ましい振動は、例えば、例として超音波溶接から知られている超音波装置によって生成される。
【０１８４】
本明細書において、用語「近位」および「遠位」は、方向および位置を指すために使用され、すなわち、「近位」は、そこから操作者または機械が機械的振動を加える接合の側であり、遠位は反対側である。本明細書における近位側のコネクタの広がりは「ヘッド部」と呼ばれ、一方、遠位側の広がりは「足部」である。
【０１８５】
以下、図面を参照しながら本発明の実施形態について説明する。図面はすべて概略図であり、原寸に比例していない。図面において、同じ参照符号は同じまたは類似の要素を指す。図面は、本発明およびその実施形態を説明するために使用されており、本発明の範囲を限定することを意図していない。「近位」、「遠位」などのような向きを指定する用語は、すべての実施形態および図面に対して同じように使用される。
【図面の簡単な説明】
【０１８６】
【図１】接合方法、第１の物体、第２の物体および複数のプロファイル本体の３つの初期構成、ならびに接合方法によって接合された第１の物体および第２の物体を示す図である。
【図２】第２の物体がプロファイル本体を含み、第２の物体が内部応力を低減するための応力解放構造を含む、接合方法を示す図である。
【図３】応力解放のためのさらなる手段を含む、図２による方法で使用される第２の物体の変形形態を示す図である。
【図４】複数のプロファイル本体の可能な構成を示す図である。
【図５】応力解放に対応して適合された物体の形状と組み合わせた複数のプロファイル本体の別の可能な構成を示す図である。
【図６】応力解放に対応して適合された物体の形状と組み合わせた複数のプロファイル本体のさらに別の可能な構成を示す図である。
【図７】例示的なプロファイル本体の断面図である。
【図８】例示的なプロファイル本体の断面図である。
【図９】例示的なプロファイル本体の断面図である。
【図１０】例示的なプロファイル本体の断面図である。
【図１１】例示的なプロファイル本体の断面図である。
【図１２】固定用の穴を含む例示的なプロファイル本体の図である。
【図１３】アンダーカットを含む別の例示的なプロファイル本体の図である。
【図１４】アンダーカットを含むさらに別の例示的なプロファイル本体の図である。
【図１５】プロファイル本体の断面図である。
【図１６】ねじれプロファイル本体を含む別の接合方法を示す図である。
【図１７】第２の物体が、プロファイル本体の埋め込み中に変位する熱可塑性材料を収容するためのリザーバを含む、接合方法を示す図である。
【図１８】第２の物体がプロファイル本体変形のための補償領域を含む、接合方法を示す図である。
【図１９】第２の物体がプロファイル本体変形のための補償領域を含む、接合方法を示す図である。
【図２０】近位プロファイル本体ヘッドおよび遠位プロファイル本体部分を有するプロファイル本体を含む接合方法を示す図である。
【図２１】近位プロファイル本体ヘッドおよび遠位プロファイル本体部分を有するプロファイル本体を含む方法によって接合された物体、ならびに、リザーバおよび補償領域を備える第２の物体を示す図である。
【図２２ａ】プロファイル本体が第１の物体および第２の物体への埋め込みを制限するための支持面を備える、第１の物体および第２の物体に埋め込まれているプロファイル本体を示す図である。
【図２２ｂ】プロファイル本体が第１の物体および第２の物体への埋め込みを制限するための支持面を備える、第１の物体および第２の物体に埋め込まれているプロファイル本体を示す図である。
【図２３ａ】支持面を備えるプロファイル本体の２つの例示的な実施形態のうちの１つを示す図である。
【図２３ｂ】支持面を備えるプロファイル本体の２つの例示的な実施形態のうちの１つを示す図である。
【図２４】支持面を備えるプロファイル本体の様々な例示的実施形態のうちの１つを示す図である。
【図２５】支持面を備えるプロファイル本体の様々な例示的実施形態のうちの１つを示す図である。
【図２６】支持面を備えるプロファイル本体の様々な例示的実施形態のうちの１つを示す図である。
【図２７】支持面を備えるプロファイル本体の様々な例示的実施形態のうちの１つを示す図である。
【図２８】プロファイル本体が第２の物体と一体である接合方法を示す図である。
【図２９】プロファイル本体が第２の物体と一体であり、第２の物体がリザーバを含む、接合方法を示す図である。
【図３０】プロファイル本体の任意の実施形態を用いた接合方法の任意の実施形態の例示的な適用を示す図である。
【図３１】基部要素および接着剤を有するプロファイル本体を含む方法によって接合される物体を示す図である。
【図３２】基部要素および接着剤を有するプロファイル本体を含む方法によって接合される物体を示す図である。
【図３３】基部要素を備えるプロファイル本体の２つの例示的な実施形態のうちの１つを示す図である。
【図３４】基部要素を備えるプロファイル本体の２つの例示的な実施形態のうちの１つを示す図である。
【図３５】第１の物体および第２の物体を接合した後の図３３によるプロファイル本体を示す図である。
【図３６】第１の物体および第２の物体を接合した後の図３４によるプロファイル本体を示す図である。
【図３７】基部要素を備えるプロファイル本体のさらなる例示的な実施形態を示す図である。
【図３８】基部要素を備えるプロファイル本体のさらなる例示的な実施形態を示す図である。
【図３９】基部要素を備えるプロファイル本体のさらなる例示的な実施形態を示す図である。
【図４０】シールを提供する接合方法を示す図である。
【図４１】基部要素を有するプロファイル本体と、プロファイル本体の埋め込み中に変位する熱可塑性材料を収容するためのリザーバを有する物体とを含む接合方法を示す図である。
【図４２】基部要素を有するプロファイル本体と、プロファイル本体の埋め込み中に変位する熱可塑性材料を収容するためのリザーバを有する物体とを含む接合方法を示す図である。
【図４３】基部要素を備えるプロファイル本体のさらなる例示的な実施形態を示す図である。
【図４４】基部要素を備えるプロファイル本体のさらなる例示的な実施形態を示す図である。
【図４５】基部要素を備えるプロファイル本体のさらなる例示的な実施形態を示す図である。
【発明を実施するための形態】
【０１８７】
本発明による方法は、第１の物体１を提供することと、第２の物体２を提供することと、プロファイル本体３を提供することとを含む。左側において、図１は、提供された第１の物体１、第２の物体２、および複数のプロファイル本体３の３つの初期構成を示す。
【０１８８】
第１の構成では、第１の物体１、第２の物体２およびプロファイル本体３は別個の部品である。
【０１８９】
第２の構成では、第２の物体２はプロファイル本体３を備え、可能な限り少ない応力が第１の物体１に誘導されることになる。特に、第１の物体１が、第１の物体および第２の物体の接合後に見え、変形すべきではないいわゆるＡ面８を備える。
【０１９０】
しかしながら、第２の構成は、最初は第１の物体および第２の物体から分離しているプロファイル本体３を第２の物体２に埋め込むステップを含む方法によって、第１の構成から生じ得る。
【０１９１】
第３の構成では、第２の物体２はプロファイル本体３を備え、可能な限り少ない応力が第２の物体２に誘導されることになる。特に、第２の物体２が、第１の物体および第２の物体の接合後に見え、変形すべきではないＡ面８を備える。
【０１９２】
ここでも、第３の構成は、最初は第１の物体および第２の物体から分離しているプロファイル本体３を第２の物体２に埋め込むステップを含む方法によって、第１の構成から生じ得る。
【０１９３】
図１に示されたもの以外の方法の実施形態は、上述の構成のうちの１つまたは複数において、第１の物体１、第２の物体２、および複数のプロファイル本体３を提供することができる。例えば、図１９および図２０に示す実施形態は、第１の構成または第２の構成の第１の物体１、第２の物体２およびプロファイル本体３を提供することができる。
【０１９４】
図１に示す実施形態では、第１の物体と第２の物体の両方が熱可塑性材料を含む。しかしながら、熱可塑性材料を含む第２の物体２は本発明の任意選択の特徴である。図２８および図２９は、第２の物体２が熱可塑性材料を含まない実施形態を示す。
【０１９５】
図１に示すプロファイル本体３は、（長手方向）軸１９を含むスリーブの形状を有する。
【０１９６】
初期形状とは無関係に、プロファイル本体３は、第１のアンダーカット４．１および第１の開口１６．１を有する第１のプロファイル本体部分３．１を含む。
【０１９７】
第１の物体および第２の物体を接合するために、軸１９は第１の物体１の表面部分（以下では第１の物体表面部分３０と呼ぶ）および第２の物体２の表面部分（以下では第２の物体表面部分３１と呼ぶ）に対して垂直に向けられ、第１の物体および第２の物体の接合後、第１の物体表面部分３０は第２の物体表面部分３１に対向する。
【０１９８】
第１のアンダーカット４．１および第１の開口１６．１を有する第１のプロファイル本体部分３．１は、プロファイル本体３、特にそれらの第１のプロファイル本体部分３．１が第１の物体１に埋め込まれる前に、第１の物体表面部分３０に向けられる。
【０１９９】
プロファイル本体３は、第２のアンダーカット４．２および第２の開口１６．２を有する第２のプロファイル本体部分３．２をさらに含むことができる。特に、これは、図１に示す第１の構成に当てはまり、これは、第１の物体および第２の物体から分離されているプロファイル本体３を備え、熱可塑性材料を含む第２の物体２を備える実施形態、またはより一般的に、プロファイル本体３、特にそれらの第２のプロファイル本体部分３．２が、第１の物体１を第２の物体２に接合する間に第２の物体２に埋め込まれる実施形態を意味する。
【０２００】
プロファイル本体３は、第１の開口１６．１から第２の開口１６．２への貫通開口を備えることができる。
【０２０１】
第２のアンダーカット４．２および第２の開口１６．２を有する第２のプロファイル本体部分３．２は、プロファイル本体３、特にそれらの第２のプロファイル本体部分３．２が第２の物体２に埋め込まれる前に、第２の物体表面部分３１に向けられる。
【０２０２】
図１の右側には、プロファイル本体３を第１の物体１および場合によっては第２の物体２に埋め込むステップの後の３つの構成のいずれかから生じるものとしての、接合された第１の物体および第２の物体が示される。
【０２０３】
プロファイル本体３は、第１の物体または第２の物体のいずれかの結合面３２に押圧されるソノトロード９の使用によって埋め込まれる。
【０２０４】
図示の実施形態では、第１の物体表面部分３０が第２の物体表面部分３１に対向する程度まで、第１の物体、および場合によっては第２の物体にプロファイル本体３を埋め込むのに十分な時間にわたって、ソノトロード９を用いて機械的エネルギーおよび圧力が加えられる。
【０２０５】
第２の物体２も熱可塑性材料を含む方法の実施形態において、方法は、第１の物体１の熱可塑性材料と第２の物体２の熱可塑性材料とが相互侵入し、結果、熱可塑性材料の再固化後に、上記熱可塑性材料間に溶接が形成されるステップを含み得る。上記ステップは、プロファイル本体を埋め込むステップの後に行われ得る。
【０２０６】
例えば、各プロファイル本体３に隣接して別個の溶接部が形成される。特に、溶接部は、シールを形成するように、連続的に、すなわち中断されずに、各プロファイル本体３の周りに延在することができる。
【０２０７】
さらに、溶接部は、プロファイル本体３の存在により、耐荷重性または固定的である必要はない。したがって、溶接部は、小さい体積、特に各プロファイル本体３の周りに延在する小さい体積に制限された溶接部とすることができる。その結果、プロファイル本体を埋め込むステップにおいて加えられる機械的エネルギーおよび／または圧力によって生成されるエネルギー入力に対して、追加のエネルギー入力をまったくまたはほとんど伴わずに溶接を行うことができる。さらに、第１の物体および／または第２の物体の変形ならびに第２の物体２に対する第１の物体１の移動に対する抵抗に対するそのような溶接および／またはその発生の寄与は、本質的に無視できる。
【０２０８】
図２は、第２の構成から始まる接合方法の一実施形態を示す。この実施形態では、第２の物体２は、プロファイル本体３が取り付けられる領域よりも薄い領域６．１である応力解放構造を含む。
【０２０９】
薄肉領域６．１は、プロファイル本体３が取り付けられる領域の間にある。
プロファイル本体３が取り付けられる領域は、プロファイル本体３が第２の物体表面部分３１とは反対側の表面に侵入しないような厚さを有する。図示の実施形態では、第２の物体表面部分３１と反対側の表面は結合面３２に対応する。
【０２１０】
ソノトロード９は、第２の物体２の形状に適合した結合面３３を備える。特に、プロファイル本体３が取り付けられる領域は、ソノトロード９にのみ接触する。
【０２１１】
図３に示す第２の物体２は、波形部分６．２であるさらなる応力解放構造を含む。波形部分６．２は、第２の物体２の内部にある応力の場合に変形するように整えられている。そうすることによって、第２の物体２は、第１の物体１に対する第２の物体２の変形をより容易に補償することができ、その逆もまた同様である。このような相対的な変形は、補償されないとき、プロファイル本体３を介して第１の物体および第２の物体に応力を発生させる。したがって、波形部分６．２は、応力を解放し、例えば、Ａ面８が変形しないことを確実にするためのさらなる手段である。
【０２１２】
図示の実施形態では、波形部分６．２は薄肉領域６．１内に配置されている。
図４〜図６は、プロファイル本体３の例示的な構成および第２の物体２の例示的な形状を示す。
【０２１３】
図４は、円形である、第２の物体表面部分３１に平行な平面における断面形状を有する第２の物体２を示す。プロファイル本体３は等間隔に分布しており、２つの隣接するプロファイル本体３間の距離Ａは、プロファイル本体の直径Ｄ（または軸１９に垂直なそれらの対応する延伸）よりも相当に大きい。
【０２１４】
多くの用途において、距離Ａは直径Ｄの２〜１０倍（または軸１９に垂直なそれらの対応する延伸）、特に直径Ｄの３〜８倍または４〜６倍である。距離Ａは、例えば、２つの隣接するプロファイル本体３間の距離Ａを規定する２つの物体の方向に沿った第２の物体２の延伸の０．７〜０．１倍であり得る。
【０２１５】
例えば、プロファイル本体３の直径Ｄは、１〜１０ｍｍの間、特に２〜８ｍｍの間、または３〜６ｍｍの間である。
【０２１６】
２つの隣接するプロファイル本体３間の距離Ａは、例えば１０〜５０ｍｍの間、特に１０〜３０ｍｍの間、または１５〜２５ｍｍの間である。後者は特に、約４０〜５０ｍｍの２つの隣接するプロファイル本体３間の距離Ａを画定する２つの物体の方向に沿った延伸を有する第２の物体２に当てはまる。
【０２１７】
プロファイル本体３の直径Ｄおよび２つの隣接するプロファイル本体３間の距離Ａは、接合されるべき物体の大きさ、接合が行われる面積および／または接合の必要な強度などの様々なパラメータに依存する。
【０２１８】
図４の第２の物体２は、第２の物体表面部分３１とは反対側の表面部分から突出しており、プロファイル本体３のどの位置とも重ならないように配置されているハウジング７を備える。
【０２１９】
ハウジング７は、例えばワイヤまたはフィードスルーを含むことができる。したがって、図４に示すような第２の物体２は、例えば電力、信号、液体または気体を供給するためのコネクタとして使用することができる。
【０２２０】
用途および搭載のための当面のスペースに応じて、第２の物体２の断面形状は、長方形または楕円形などの他の任意の幾何学的形状を有することができる。
【０２２１】
図５の実施形態では、第２の物体２の断面形状はプロファイル本体３の位置に適合している。接合は、第２の物体２の中央部分から突出する第２の物体２の部分に対して行われる。中央部分は、例えばハウジング７を含む。
【０２２２】
第１の物体２に対する第２の物体２の移動およびその逆の移動によって生じる応力を解放するために、突出部は、上記突出部上のプロファイル本体３の位置と中央領域との間に狭窄部６．３を含む。
【０２２３】
最後に、図６は、大規模接合および多点固定に特に適している実施形態を示す。
図６に示す実施形態では、第２の物体２は、例えば、ハウジング７を含む中央部分の周りに２次元の規則的な格子を形成する。
【０２２４】
プロファイル本体３は格子交差点に位置決めされている。格子交差点の間にある格子の部分は、やはり狭窄部６．３とすることができる。
【０２２５】
図７〜図１１は、プロファイル本体３の軸１９に垂直な断面図においてプロファイル本体３を示す。図示されているプロファイル本体３は、それらの軸１９に垂直な方向から加えられる力に応じて弾性的に変形するように整えられている。そのような力は、互いに対して変形または移動する第１の物体および第２の物体によって発生する。したがって、それらの軸１９に垂直な方向に沿って弾性的に変形することができるプロファイル本体３の使用は、上記相対的な変形または移動によって発生した第１の物体および第２の物体における応力を解放するのに寄与する。
【０２２６】
特に、第２の物体２が熱可塑性材料を含む方法の実施形態において、図７〜図１１に示される実施形態は、例えば、図２２〜図２７に示されるような支持面１４を含むことができる。支持部１４は、プロファイル本体３の中央面、すなわち、軸１９に対して垂直であり、プロファイル本体３の近位端と遠位端との間の中間で軸１９と交差する平面上に配置することができる。
【０２２７】
図７に示す実施形態では、プロファイル本体３は、第１の開口１６．１から第２の開口１６．２までの貫通開口と、開いている、すなわち不連続な、例えば螺旋状の断面とを有する。
【０２２８】
図８に示す実施形態においても、プロファイル本体３は貫通開口を有する。しかしながら、プロファイル本体３の断面形状は開放環の形状である。
【０２２９】
図９は、軸１９に対して垂直である方向から作用する力に応じて弾性的に変形可能であるが、閉じた断面形状を有するプロファイル本体３の実施形態を示す。
【０２３０】
三葉形プロファイル本体３の例示的な形状が図９に示されている。しかしながら、波を含む形状などの他の断面形状も考えられ得る。
【０２３１】
図１０は、軸１９に垂直な断面において屈曲線の形状を有するプロファイル本体３の実施形態を示す。
【０２３２】
図１１は、軸１９に垂直な断面において波線の形状を有するプロファイル本体３の実施形態を示す。
【０２３３】
図７、図８、図１０、および図１１は、開ループに対応する断面形状の例を示し、一方、図９は閉ループの例を示す。
【０２３４】
図７〜図１１によるプロファイル本体３の実施形態は、軸１９に対して垂直な方向から作用する力に応じてプロファイル本体３が弾性変形するのを妨げないように構成された壁厚を有する。
【０２３５】
特に、プロファイル本体はシート金属から作製される。
プロファイル本体３を第１の物体１および場合によっては第２の物体２内に確実に固定するために、ポジティブフィット接続を使用することができる。図１２〜図１５は、熱可塑性材料に埋め込まれたときにポジティブフィット接続に寄与する手段を含むプロファイル本体の例示的実施形態を示す。
【０２３６】
図１２は、プロファイル本体３の壁内に穴１５を備えるプロファイル本体３を示す。特に、穴はプロファイル本体３の軸１９から半径方向に延在する。
【０２３７】
図１３はプロファイル本体３の断面を示し、上記断面はプロファイル本体１９の軸１９に沿っている。
【０２３８】
図示のプロファイル本体３は、第１の開口１６．１の領域内の第１のアンダーカット４．１と、任意選択の第２の開口１６．２の領域内の第２の任意選択のアンダーカット４．２とを有する。
【０２３９】
アンダーカットは、プロファイル本体３の内面上に配置されている。
図１４は、プロファイル本体３の外面上に配置されたアンダーカット４を有するプロファイル本体３を示す。
【０２４０】
図１５は、プロファイル本体３の外面上に配置されたアンダーカットを有するプロファイル本体３、例えば図１４に示されるプロファイル本体３の断面を示す。上記断面は、プロファイル本体１９の軸１９に沿った断面である。
【０２４１】
図示のプロファイル本体３は、第１の開口１６．１の領域内のプロファイル本体３の内側の第１のアンダーカット４．１と、第２の開口１６．２の領域内のプロファイル本体３の外面の第２のアンダーカット４．２とを含む。
【０２４２】
図１６は、ねじれ１７を形成するプロファイル本体３を含む方法の一実施形態を示す。ねじれ１７は、埋め込み後に第１の物体１とのポジティブフィット接続を形成することができる構造である。したがって、アンダーカットは必要ない。
【０２４３】
図示の実施形態では、プロファイル本体３は、軸１９に沿って延伸するねじれ棒である。したがって、第２の物体２が熱可塑性材料を含む場合には、圧力および機械的エネルギーを加えることによって、第２の本体部分３．２を第２の物体２に埋め込むこともできる。
【０２４４】
しかしながら、第１のプロファイル本体部分のみがねじれていることも可能である。
図１６に示す実施形態の変形形態では、第１のプロファイル本体部分３．１は第２のプロファイル本体部分３．２に対してある角度、特に直角を成す。第２のプロファイル本体部分３．２は、異なる方法で第２の物体２に対してねじれるかまたは取り付けられ得る。
【０２４５】
特に、第１のプロファイル本体部分３．１はねじれ１７を含み、ねじれのない第２のプロファイル本体部分３．２が第２の物体表面部分３１の凹部に取り付けられる。言い換えれば、プロファイル本体は、第２の物体２に深く侵入しない。
【０２４６】
図１６に示す実施形態の別の変形形態では、第１のプロファイル本体部分および第２のプロファイル本体部分は、軸１９に沿ってねじれて整列している。しかしながら、軸１９は第１の物体表面部分および第２の物体表面部分に対して平行に向けられている。
【０２４７】
図１７は、第２の構成、すなわち第２の物体２がプロファイル本体３を備えることから始まる接合方法を示す。しかしながら、第２の物体２にプロファイル本体３を取り付ける、例えば埋め込むことは、第１の物体１内にプロファイル本体３を埋め込む前の接合方法のさらなるステップであり得る。
【０２４８】
第２の物体表面部分３１は、第２の物体表面部分３１から外方に、プロファイル本体３が取り付けられている第２の物体２の部分に向かって突出するくぼみを含む。上記くぼみは、第１の物体１内にプロファイル本体３、特に第１のプロファイル本体部分３．１を埋め込む間に変位する第１の物体１の熱可塑性材料を収容するように構成されたリザーバ５を形成する。
【０２４９】
ソノトロード９によって加えられ、第２の物体２およびプロファイル本体３に結合される機械的エネルギーおよび圧力は、プロファイル本体３の遠位端が第１の物体１に接触している第１の物体１の領域周辺の非常に局所的な領域に制限される、第１の物体１の熱可塑性材料の軟化または液化をもたらす。
【０２５０】
したがって、リザーバ５はプロファイル本体３に隣接して配置されている。その形状は、第１の物体１の熱可塑性材料の変位に適合させることができる。特に、リザーバ５は、第２の物体表面部分３１から近位方向、特にプロファイル本体が第２の物体２に取り付けられる位置まで狭くすることができる。
【０２５１】
図１８は、第２の構成、すなわち第２の物体２がプロファイル本体３を備えることから始まるさらなる接合方法を示す。しかしながら、第２の物体２にプロファイル本体３を取り付ける、例えば埋め込むことは、第１の物体１内にプロファイル本体３を埋め込む前の接合方法のさらなるステップであり得る。
【０２５２】
図１７に示す実施形態と同様に、第２の物体表面部分３１は、第２の物体表面部分３１から外方に、プロファイル本体３が取り付けられている第２の物体２の部分に向かって突出するくぼみを含む。しかしながら、上記くぼみは、補償領域１０を形成するように寸法決めされ、これは、第１の物体および第２の物体の接合後、および、第１の物体１内に第１のプロファイル本体部分３．１を埋め込むステップの間の熱可塑性材料の補償領域１０内への可能な変位後に、プロファイル本体３の一部分の周囲に空隙を発生させる領域を意味する。
【０２５３】
補償領域１０は、第１の物体および第２の物体の接合後に空隙内にあるプロファイル本体３の部分が、接合後に空隙内にあるプロファイル本体３の部分の弾性変形によってプロファイル本体３が第１の物体および第２の物体の相対移動および変形に追従することができるような長さを含むように寸法決めされる。
【０２５４】
特に、空隙の容積は、第１のプロファイル本体部分３．１を第１の物体１に埋め込むステップ中に変位する熱可塑性材料の体積の０．５倍を超える。例えば、空隙の容積は変位される熱可塑性材料の体積よりも大きいか、または変位される熱可塑性材料の体積の１〜３倍である。
【０２５５】
したがって、補償領域１０の容積（すなわち、第１の物体１に第１のプロファイル本体部分３．１を埋め込む前）は、変位される熱可塑性材料の体積の１．５倍超、例えば２倍超または２〜４倍超である。
【０２５６】
さらに、第１の物体表面部分３０に平行な補償領域１０の延伸は、プロファイル本体３の対応する最大延伸の１．２倍よりも大きく、特に２倍よりも大きい。特に、上記延伸は、第１のプロファイル本体部分３．１の（プロファイル本体３の軸１９に対する）半径方向の最大延伸の１．２倍よりも大きく、特に２倍よりも大きい。
【０２５７】
図１８に示す方法の好ましい実施形態では、プロファイル本体３は、それらの軸１９に対して垂直な方向から加えられる力に応じて弾性変形するように整えられた形状を含む。例えば、プロファイル本体３は、図７〜図１１に示すような形状を含む。
【０２５８】
図１９は、図１８に示す実施形態と比較して異なるように形成された変形領域１０の例を用いた補償領域１０を含む実施形態の機能原理を示す。
【０２５９】
プロファイル本体３は、第１の物体１に埋め込まれた部分（特に第１のプロファイル本体部分３．１）、第２の物体２に取り付けられた部分（特に第２のプロファイル本体部分３．２）、および、補償領域１０によって形成された空隙内にある、２つの上記部分の間の埋め込まれていない部分を含むと考えることができる。
【０２６０】
第２の物体２が第１の物体１に対して移動すると、補償領域１０がない実施形態と比較して、プロファイル本体３は移動に対する抵抗が小さくなり、したがって第１の物体および第２の物体の、プロファイル本体が埋め込まれまたは取り付けられている部分の周りの応力が減少する。
【０２６１】
第１の物体および第２の物体の上記部分の周りに発生する応力は、プロファイル本体３の軸１９に垂直な非埋め込み部分の長さおよび非埋め込み部分の弾性に依存する。
【０２６２】
図２０は、プロファイル本体３が近位プロファイル本体ヘッド１３と、近位プロファイル本体ヘッド１３の遠位にあるプロファイル本体部分１２とを備える、接合方法の一実施形態を示す。
【０２６３】
プロファイル本体３は、（場合によって存在するリザーバ５および／または補償領域１０を含む）第２の物体２の厚さＴ２よりも大きいが、Ｔ２と第１の物体１の厚さＴ１とを合わせた厚さよりも小さい、近位プロファイル本体ヘッド１３からプロファイル本体部分１２の遠位端までの全高Ｈを有する。
【０２６４】
プロファイル本体３は、第２の物体２に侵入するように整えられている。
図２０に示す実施形態では、プロファイル本体３が第２の物体２の接合位置に隣接するように、プロファイル本体３が第２の物体２の近位表面１１に対して位置決めされる。
【０２６５】
ソノトロード９は、第２の物体２を通じてプロファイル本体３を押し、プロファイル本体ヘッド１３に圧力および機械的エネルギーを加えることによって遠位プロファイル本体部分１２を埋め込む。
【０２６６】
プロファイル本体ヘッド１３が接合位置の近位表面と同一平面上になると直ちに、圧力および機械的エネルギーの印加が停止または低減される。さらに埋め込むのに十分ではないレベルまで圧力および／または機械的エネルギーを減少させることによって、接合の質を改善することができる。特に、第１の物体と第２の物体との間に間隙が形成されるのを防ぐことができる。
【０２６７】
プロファイル本体３の高さＨと第２の物体２の厚さＴ２との間の差は、遠位プロファイル本体部分１２が第１の物体内に十分に深く侵入して確実な接合を保証するようなものである。特に、プロファイル本体３のアンダーカット４．１は、第１の物体に完全に埋め込まれている。
【０２６８】
図示の実施形態では、第２の物体２は熱可塑性材料を含む。しかしながら、これは任意選択の特徴である。図２０による実施形態では、遠位プロファイル本体部分１２が第２の物体２に侵入することが可能であることが必要である。この必要性は、場合によっては例えば尖鋭化することによって適合される遠位プロファイル本体部分１２を有する、様々な材料を含むかまたはそれから成る第２の物体２について満たすことができる。
【０２６９】
図２１は、図２０による実施形態の変形形態を示し、第２の物体は補償領域１０を含み、プロファイル本体は、補償領域１０に起因する接合位置における第２の物体２の増加した厚さＴ２を考慮した高さを有する。
【０２７０】
第１のプロファイル本体部分３．１が第１の物体１に埋め込まれ、第２のプロファイル本体部分３．２が第２の物体２に埋め込まれる実施形態、すなわち第１の構成による実施形態では、第１の物体または第２の物体への埋め込みが不十分であるという問題が生じ得る。これは、例えば、不均等なエネルギー入力によって引き起こされる、第２のプロファイル本体部分３．２と接触する熱可塑性材料の軟化または液化と比較した、第１のプロファイル本体部分３．１と接触する熱可塑性材料の軟化または液化の結果である。
【０２７１】
この問題は、例えば図２２〜図２７に示すような支持面１４を使用することによって解決することができる。支持面１４は、埋め込み中に、第１の物体表面部分３０と少なくとも部分的に平行に、かつ第２の物体表面部分３１と少なくとも部分的に平行に延伸するプロファイル本体３の表面である。したがって、第１の物体表面部分３０または第２の物体表面部分３１と接触するプロファイル本体３の面積は、対応する表面部分が支持面１４と接触すると直ちに増加する。これは、さらなる埋め込みのために軟化させる必要がある熱可塑性材料の量が増加するにつれてプロファイル本体がさらに埋め込まれることを防止するが、熱可塑性材料に結合されるエネルギーは一定である。
【０２７２】
支持面１４は閉鎖容積を形成することができ、これはまた、容積が充填されるとさらなる埋め込みに対する抵抗を増大させる。
【０２７３】
図２２ａは、プロファイル本体３を第１の物体および第２の物体に埋め込んだ後の、支持面１４を備えるプロファイル本体３の例示的実施形態を示す。
【０２７４】
プロファイル本体はスリーブの形状であり、支持面１４はスリーブが２つの区画を含むようにスリーブの内側に配置され、げんこつの区画は第１の開口１６．１を通してのみアクセス可能であり、第２の区画は第２の開口１６．２を通してのみアクセス可能である。
【０２７５】
図２２ｂは、第１のプロファイル本体部分３．１が第１の軸１９．１を含み、第２のプロファイル本体部分３．２が第１の軸１９．１に対してオフセットされた第２の軸１９．２を含む、図２２ａのプロファイル本体３を示す。
【０２７６】
図２３〜図２７は、支持面１４を備えるプロファイル本体３のさらなる例示的実施形態を示す。
【０２７７】
図２３ａ〜図２３ｂおよび図２４による実施形態は、軸１９に平行な「Ｘ」字型の断面形状を含む。両方の実施形態は、軸１９を中心とした回転対称性を含まないが、示された平面に垂直な軸に沿った並進対称性を含む。
【０２７８】
図２３ｂは、オフセット軸を有する図２３ａのプロファイル本体を示す図である。
プロファイル本体を一般にオフセット軸を有するように設計することが想定され得る。特に、オフセット軸を用いて、図２４〜図２７に従うが、さらに、図７〜図１９に従ってプロファイル本体を設計することを想定することができる。
【０２７９】
図２５による実施形態は、図２２に示される実施形態と同様である。しかしながら、支持面１４は、第１の物体および第２の物体への埋め込み深さを調整するために、第１の開口１６．１に向かってシフトされている。
【０２８０】
図２６による実施形態では、支持面は、プロファイル本体３の直径を変えることによって実現される。例えば、スリーブ状プロファイル本体３の直径は、第１のプロファイル本体部分３．１の第１の直径から第２のプロファイル本体部分３．２の第２の直径へ、またはその逆に段階的に増大する。
【０２８１】
図２６によるプロファイル本体３は、接合されるべき物体の１つに対してプロファイル本体３の内側にあり、接合されるべき他方の物体に対してプロファイル本体３の外側にある支持面１４を備える。
【０２８２】
図２７は、支持面１４を備えるプロファイル本体３の実施形態を示し、支持面１４はプロファイル本体の外面に配置され、軸１９から半径方向に延伸するプロファイル本体３の突出部である。
【０２８３】
ここでも、支持面１４の位置は、第１の物体および第２の物体への埋め込み深さを調整するために適合させることができる。
【０２８４】
図２８は、プロファイル本体３が第２の物体２の一体部分である接合方法の一実施形態を開示している。
【０２８５】
例えば、プロファイル本体３および第２の物体２は、単一の要素からおよび／または単一の要素として形成される。しかしながら、プロファイル本体３は第２の物体２に取り付けられてもよく、例えば接着または溶接されてもよい。
【０２８６】
第１のプロファイル本体部分３．１は、第２の物体表面部分３１から突出している。第１のプロファイル本体部分３．１は、第１のアンダーカット４．１と第１の開口１６．１とを備える。
【０２８７】
突出した第１のプロファイル本体部分３．１は、第１の物体１にプロファイル本体３を埋め込む間に、第１の物体１の熱可塑性材料が侵入することができるキャビティを形成する。
【０２８８】
図示の実施形態では、第２の物体２はＡ面８を含む。しかしながら、第１の物体１がＡ面８を含む場合にも、この方法は良好に作用する。
【０２８９】
図２９は、図２８に示した実施形態の変形形態を示しており、第２の物体２は、突出したプロファイル本体３に隣接するリザーバ５をさらに備える。したがって、第１の物体１の熱可塑性材料は、プロファイル本体３によって形成されたキャビティとリザーバ５の両方に収容することができる。これにより圧力点が減少し、したがって第１の物体および第２の物体内の応力がさらに減少する。
【０２９０】
図３０は、示されている任意のプロファイル本体を備える、示されている任意の実施形態の例示的な適用を示している。
【０２９１】
本出願は、センサ２０、例えば、パーキングセンサのような自動車に使用されるセンサ２０の固定に関する。
【０２９２】
センサ２０は、ワイヤ２１のための開口を備えるコネクタを形成する、第２の物体２の一部である。
【０２９３】
コネクタが接合される第１の物体１は、例えば、自動車の目に見える外面の一部である表面を含む自動車部品である。言い換えれば、自動車部品はＡ面８を含む。
【０２９４】
図３１は、基部要素３４を備えるプロファイル本体３および接着剤４０によって第１の物体１に接合された第２の物体２の例示的な実施形態を示す。第２の物体２は、第１の物体と第２の物体との間に配置されたプロファイル本体３および接着剤４０をより詳細に示すために透明に描かれている。
【０２９５】
図３２は、図３１の断面図を表す。
プロファイル本体３は、第１のプロファイル本体部分３．１と第２のプロファイル本体部分３．２とを備える。第１のプロファイル本体部分および第２のプロファイル本体部分は、基部要素３４の両側、すなわち第１の表面３５および第２の表面３６に配置されている。
【０２９６】
第１のプロファイル本体部分３．１は第１の軸１９．１に沿って基部要素３４から突出しており、第２のプロファイル本体部分３．２は第２の軸１９．２に沿って基部要素３４から突出している。
【０２９７】
図３１による実施形態は、基部要素３４によって画定される平面に沿って第２の軸１９．２のセットからオフセットされた第１の軸１９．１のセットの任意選択の特徴、基部要素３４によって画定された平面に垂直に延伸する第１の軸および第２の軸の任意選択の特徴、ならびに、互いに平行な第１の軸１９．１および互いに平行な第２の軸１９．２の任意選択の特徴を示す。
【０２９８】
図３１および図３２（また図３５および図３６）に示す実施形態の第２の物体２は、熱可塑性材料を含む。したがって、第２のプロファイル本体部分３．２は、第２の物体２に埋め込まれる。
【０２９９】
図３１に示される実施形態は、基部要素３４から（第１の表面３５から）開始するときに第１の軸１９．１に沿って減少する直径を有する第１のキャビティ３７を形成するその形状によって、第１のアンダーカット４．１を形成する第１のプロファイル本体部分３．１の任意選択の特徴を含む。その実施形態はまた、基部要素３４から（第２の表面３６から）開始するときに第２の軸１９．２に沿って減少する直径を有する第２のキャビティ３８を形成するその形状によって、第２のアンダーカット４．２を形成する第２のプロファイル本体部分３．２の任意選択の特徴をも含む。
【０３００】
図３１および図３２による第１の物体および第２の物体は、第１の物体１を第２の物体２に接合する間に接着剤間隙４１が形成されるように成形されている。この目的のために、第１の物体１は、第１の物体表面部分３０（すなわち、接合中／接合後に第２の物体２に向かって配置される表面部分）に凹部を含み、および／または第２の物体２は、第２の物体表面部分３１（すなわち、接合中／接合後に第１の物体１に向かって配置される表面部分）に凹部を含む。
【０３０１】
接合後の接着剤４０の領域内の第１の物体と第２の物体との間の距離を意味する、接着剤間隙４１の大きさは、凹部（複数可）の深さ（複数可）および基部要素の厚さによって与えられる。
【０３０２】
プロファイル本体３は、プロファイル本体３を埋め込むステップの前に、それらが上記凹部（複数可）内に延伸しないように配置される。
【０３０３】
プロファイル本体３を埋め込むステップの前に行われる、第１の物体１、第２の物体２、プロファイル本体３および接着剤４０を配置するステップにおいて、接着剤４０が第１の物体および第２の物体内の凹部またはその表面部分上に配置され、上記凹部または表面部分は、第１の物体１を第２の物体２に接合している間／接合した後の、接着剤間隙４１の一部を形成する。
【０３０４】
しかしながら、接着剤４０をプロファイル本体３および任意選択により一方の物体と共に配置および／または事前組み立てすることも想定され得る。特に、接着剤４０は、第１のプロファイル本体部分または第２のプロファイル本体部分と接触して配置することができる。本実施形態では、少なくともプロファイル本体３を埋め込むステップの間、接着剤４０と接するプロファイル本体部分が接着剤４０に侵入する。
【０３０５】
図３３および図３４は、基部要素３４を含み、第１の物体１を第２の物体２に接合する間に接着剤間隙４０を確立させる２つのさらなる実施形態を示す。
【０３０６】
図３３による実施形態では、接合後の接着剤４０の領域内の第１の物体と第２の物体との間の距離である、接着剤間隙４１の大きさを決定するのは、任意選択的に接着剤４０の機械的特性と組み合わさった、第１のプロファイル本体部分および第２のプロファイル本体部分の形状である。
【０３０７】
特に、第１のプロファイル本体部分３．１の外径は、第１の開口１６．１から始まるときに第１の軸１９．１に沿って増大し、第２のプロファイル本体部分３．２の外径は、第２の開口１６．２から始まるときに第２の軸１９．２に沿って増大する。しかしながら、第１のプロファイル本体部分３．１または第２のプロファイル本体部分３．２のいずれかがこのように成形されること、および基部要素３４が支持面１４を形成することも想定され得る。
【０３０８】
図３５は、第１の物体および第２の物体を接合した後の図３３によるプロファイル本体３の断面図を示す。
【０３０９】
図３４による実施形態では、基部要素３４はスペーサを形成する。この目的のために、基部要素は、必要とされる接着剤間隙サイズに対応する厚さを含み、これは、接合後の第１の物体と第２の物体との間の所望の距離を意味する。
【０３１０】
図３６は、第１の物体および第２の物体を接合した後の図３４によるプロファイル本体３の断面図を示す。
【０３１１】
プロファイル本体３、特に基部要素３４を含むプロファイル本体の寸法は、第１の物体および／または第２の物体、ならびに第１の物体および／または第２の物体内に存在するかまたはそれに取り付けられるさらなる要素の形状の少なくとも１つに適合され得る。フィードスルー、ケーブル、マウント、センサなどがそのようなさらなる要素の例である。特に、寸法は、固定に利用可能な結果として生じる空間に適合させることができる。
【０３１２】
代替的にまたは加えて、第１のプロファイル本体部分および第２のプロファイル本体部分の構成は、第１の物体および／または第２の物体、ならびに第１の物体および／または第２の物体内に存在するかまたはそれに取り付けられるさらなる要素の形状の少なくとも１つに適合され得る。
【０３１３】
図３７〜図３９は、それらの設計、特にそれらの寸法ならびに第１のプロファイル本体部分および第２のプロファイル本体部分の構成が図３１〜図３６に示す実施形態と異なる、基部要素３４を備えるプロファイル本体のさらなる例示的な実施形態を示す。
【０３１４】
図３１〜図３７および図３９に示すように、第２のプロファイル本体部分３．２からオフセットされている第１のプロファイル本体部分３．１は、プロファイル本体３の製造に有利である。第１のプロファイル本体部分および第２のプロファイル本体部分がこのように構成されるべきであるとき、プロファイル本体部分は基部要素３４から打ち抜く（スタンピングする）ことができる。
【０３１５】
しかしながら、３次元印刷、射出成形、１つの外面のみにプロファイル本体部分を含む半完成プロファイル本体の折り曲げ、またはプロファイル本体部分を含まない表面に沿ったこの種の２つの半完成プロファイル本体の接合などの製造方法が、第１の表面３５上の領域から突出する第１のプロファイル本体部分３．１および第２の表面３６上の領域から突出する第２のプロファイル本体部分３．２を可能にし、第１の表面３５上の領域の投影は、第２の表面３６上の領域と重なり、その逆もまた同様である。図３８は、第１のプロファイル本体部分および第２のプロファイル本体部分のそのような構成の例示的実施形態を示す。
【０３１６】
第１のプロファイル本体部分および第２のプロファイル本体部分のそのような構成は、例えば、接合された第１の物体および第２の物体の機械的安定性の観点から有利であり得る。
【０３１７】
図３８の実施形態では、そのような第１のプロファイル本体部分および第２のプロファイル本体部分の構成は、第１のプロファイル本体部分６１および第２のプロファイル本体部分６２を備えるプロファイル本体３によって確立される。
【０３１８】
第１のプロファイル本体部分６１は一方の側面のみにプロファイル本体部分を含み、第２のプロファイル本体部分６２は一方の側面のみにプロファイル本体部分を含む。
【０３１９】
両方のプロファイル本体部分上で、プロファイル本体部分を備える側面と反対の側面は、いかなるプロファイル本体部分も含まない。しかしながら、プロファイル本体部分を含まない上記側面は、第１の部分と第２の部分とが上記側面に沿って当接することができ、当接する相対位置に固定することができるように、互いに適合されている。
【０３２０】
図示の実施形態では、第１の部分と第２の部分との固定は溶接によって行われる（溶接スポット６３）。
【０３２１】
図３８の実施形態では、第１のプロファイル本体部分および第２のプロファイル本体部分は金属シートであり、プロファイル本体部分は金属シートから打ち抜かれる。
【０３２２】
さらに、図３７〜図３９に示す実施形態は、基部要素３４の厚さが図３１〜図３６に示す実施形態と異なる。そうすることによって、接着剤間隙４１のサイズおよび／またはプロファイル本体３の機械的安定性、特に剛性または曲げ特性を決定することができる。
【０３２３】
示されている実施形態は平面で湾曲していない。しかしながら、プロファイル本体３、特に基部要素３４を非平面および／または湾曲して設計することも想定され得る。
【０３２４】
図４０は、接合された第１の物体と第２の物体との間の領域をシールする接合方法の主な要素を示す。これらの要素は、接合前（図の左側）および接合後（図の右側）の断面図で示されている。
【０３２５】
この目的のために、一方の物体、例えば第２の物体２は、接合中および接合後に第１の物体と第２の物体との間で圧縮されるように構成されたエラストマー部分５０を含む。圧縮エラストマー部分５０は、エラストマー部分５０の一方の側の領域を、エラストマー部分５０の他方の側の領域からシールする。
【０３２６】
エラストマー部分５０は、エラストマー部分５０によって囲まれた領域が外側領域からシールされるように、閉じた形態を有することができる。例えば、これにより、エラストマー部分５０によって囲まれた領域内の水分および／または湿気によって悪影響を受ける要素の取り付け、または上記領域内へのまたは上記領域を通じたそのような要素の到達が可能になる。
【０３２７】
プロファイル本体３は、囲まれた領域または外側領域に配置することができる。
エラストマー部分５０の代わりに別個のシール要素を想定することもできる。
【０３２８】
図４１は、基部要素３４および複数のプロファイル本体部分（３．１および３．２）を有するプロファイル本体３が、プロファイル本体３を第１の物体１に埋め込むステップの間ならびに／またはプロファイル本体３を第１の物体１および第２の物体２に埋め込むステップの間に変位される熱可塑性材料がリザーバ５内に収容されるように構成されたリザーバ５と組み合わされる方法の一実施形態を示す。
【０３２９】
この目的のために、リザーバ５は、プロファイル本体部分の構成に適合した方法で、第１の物体１上、および場合によっては第２の物体２上に配置される。
【０３３０】
示されたプロファイル本体部分は、熱可塑性材料がプロファイル本体部分によって形成されたキャビティ内に侵入することができるように開口（１６．１および１６．２）を含む。
【０３３１】
図示の実施形態では、アンダーカット（４．１および４．２）はキャビティの形状によって形成されている。
【０３３２】
図４２の実施形態は、基部要素３４を収容するための表面開口の任意選択の特徴を示す。
【０３３３】
図示の実施形態では、第１の物体１は、少なくとも基部要素３４の厚さの半分に対応する深さの凹部を形成する第１の表面開口４５を含み、第２の物体２は、少なくとも基部要素３４の厚さの半分に対応する深さの凹部を形成する第２の表面開口４６を含む。
【０３３４】
基部要素３４を収容するために、第１の表面開口および第２の表面開口の他の深さも想定することができる。例えば、基部要素３４は、主に２つの表面開口のうちの一方に収容することができる。代替的に、第１の表面開口４５または第２の表面開口４６のいずれかが存在することができ、表面開口は、少なくとも基部要素３４の厚さに対応する深さを有する。
【０３３５】
図４２による実施形態は、第１の物体１と第２の物体２との間隙のない接合をもたらし、図４１による実施形態は、第１の物体と第２の物体との間の間隙、例えば接着剤間隙４１をもたらす。
【０３３６】
図４３は、第１の表面３５上の１つの第１のプロファイル本体部分３．１（図４３では見えない）と第２の表面３６上の１つの第２のプロファイル本体部分３．２とを備えるプロファイル本体３の基本構成を示し、第２のプロファイル本体部分３．２は、第１のプロファイル本体部分３．１からオフセットされている。
【０３３７】
そのような基本構成は、多種多様な用途にとって十分であり得る。しかしながら、基本構成においてプロファイル本体３によって生成される第１の物体１と第２の物体２との間の接合の安定性は、使用時に物体を引き離す力が加わる場合、例えば、他方の物体は、第１の物体表面部分および第２の物体表面部分に垂直な方向に動くことができないように取り付けられている間に、第１の物体表面部分および第２の物体表面部分（３５および３６）に対して垂直な相当の成分を発生させる力が一方の物体に加わる場合に、十分でない場合がある。この不十分な安定性は、プロファイル本体３に対して発生する（回転）モーメントの結果である。このモーメントは、基部要素３４の変形、特に２つのプロファイル本体部分間の領域の変形を引き起こす可能性がある。
【０３３８】
特に、プロファイル本体がシート金属から作製されている場合、機械的安定性が不十分である問題が存在し得る。
【０３３９】
基本構成においてプロファイル本体３の機械的安定性が不十分である問題を克服するための第１の手法は、プロファイル本体をより安定にする材料を選択すること、および／または基部要素３４をより厚くすることである。しかしながら、この手法は、製造コストの観点から適切ではない場合がある。
【０３４０】
基本構成においてプロファイル本体３の機械的安定性が不十分である問題を克服するための第２の手法は、プロファイル本体部分間の距離を短くすること、ならびに／または、２つのプロファイル本体部分間の領域を、例えば隆起部および／もしくは支柱によって強化することである。
【０３４１】
基本構成においてプロファイル本体３の機械的安定性が不十分である問題を克服するための第３の手法は、基部要素に対するモーメントが低減されるように少なくとも１つのさらなるプロファイル本体部分を配置することである。結果として得られる構成の例を図４４および図４５に示す。
【０３４２】
図４４では、基本構成の第１のプロファイル本体部分および第２のプロファイル本体部分と一致してさらなるプロファイル本体部分が追加されている。さらなるプロファイル本体部分は、プロファイル本体部分間の領域に対するモーメントが減少するように配向される。図示の実施形態では、これは、第１のプロファイル本体部分および第２のプロファイル本体部分が線に沿って交互に配置されていることを意味する。
【０３４３】
図４５では、複数（例えば３つ）の第２のプロファイル本体部分３．２が第１のプロファイル本体部分３．１の位置の周りに配置されている。
【０３４４】
第１の手法、第２の手法、および第３の手法のうちの少なくとも２つの特徴を組み合わせて、さらに安定したプロファイル本体を作り出すことができる。
【０３４５】
図に示されるすべてのプロファイル本体３は、少なくとも、接着剤４０、エラストマー部分５０（または他のシール要素）、リザーバ５、表面開口（４５、４６）のうちの少なくとも１つと組み合わせて、またはそれらのいずれも用いずに使用することができる。
【図１】
2020504035.tif 000003
【図２】
2020504035.tif 000004
【図３】
2020504035.tif 000005
【図４】
2020504035.tif 000006
【図５】
2020504035.tif 000007
【図６】
2020504035.tif 000008
【図７】
2020504035.tif 000009
【図８】
2020504035.tif 000010
【図９】
2020504035.tif 000011
【図１０】
2020504035.tif 000012
【図１１】
2020504035.tif 000013
【図１２】
2020504035.tif 000014
【図１３】
2020504035.tif 000015
【図１４】
2020504035.tif 000016
【図１５】
2020504035.tif 000017
【図１６】
2020504035.tif 000018
【図１７】
2020504035.tif 000019
【図１８】
2020504035.tif 000020
【図１９】
2020504035.tif 000021
【図２０】
2020504035.tif 000022
【図２１】
2020504035.tif 000023
【図２２ａ】
2020504035.tif 000024
【図２２ｂ】
2020504035.tif 000025
【図２３ａ】
2020504035.tif 000026
【図２３ｂ】
2020504035.tif 000027
【図２４】
2020504035.tif 000028
【図２５】
2020504035.tif 000029
【図２６】
2020504035.tif 000030
【図２７】
2020504035.tif 000031
【図２８】
2020504035.tif 000032
【図２９】
2020504035.tif 000033
【図３０】
2020504035.tif 000034
【図３１】
2020504035.tif 000035
【図３２】
2020504035.tif 000036
【図３３】
2020504035.tif 000037
【図３４】
2020504035.tif 000038
【図３５】
2020504035.tif 000039
【図３６】
2020504035.tif 000040
【図３７】
2020504035.tif 000041
【図３８】
2020504035.tif 000042
【図３９】
2020504035.tif 000043
【図４０】
2020504035.tif 000044
【図４１】
2020504035.tif 000045
【図４２】
2020504035.tif 000046
【図４３】
2020504035.tif 000047
【図４４】
2020504035.tif 000048
【図４５】
2020504035.tif 000049
【国際調査報告】
2020504035.tif 000050
2020504035.tif 000051
2020504035.tif 000052
2020504035.tif 000053